(57)【要約】  本発明の実施例は、信号を伝送する方法、ネットワーク装置と端末装置を提供する。信号を伝送する方法は、ネットワーク装置が一つの同期信号周期内で複数の同期信号を送信し、端末装置がネットワーク装置によって一つの同期信号周期内で送信された複数の同期信号を検出することと、ネットワーク装置が前記複数の同期信号に対応するブロードキャストチャネル又は他の信号を送信し、端末装置が検出された前記複数の同期信号に基づき、ネットワーク装置から送信された、前記複数の同期信号に対応するブロードキャストチャネルを検出し、又はネットワーク装置から送信された他の信号を検出することとを含む。本発明の実施例による信号を伝送する方法、ネットワーク装置と端末装置により、端末装置の信号検出性能を向上させることができる。
2019522910.tif 000002
【特許請求の範囲】
【請求項１】
信号を伝送する方法であって、
端末装置がネットワーク装置によって一つの同期信号周期内で送信された複数の同期信号を検出することと、
前記端末装置が検出された前記複数の同期信号に基づき、前記ネットワーク装置から送信された、前記複数の同期信号に対応するブロードキャストチャネルを検出し、又は前記ネットワーク装置から送信された、前記対応するブロードキャストチャネル以外の他の信号を検出することとを含む、前記方法。
【請求項２】
前記複数の同期信号が同じシーケンスを使用することを特徴とする
請求項１に記載の方法。
【請求項３】
前記複数の同期信号の周波数領域リソース、時間領域リソース、サブ搬送波間隔又はデータ伝送時間長のうちの少なくとも一つの伝送パラメータが異なることを特徴とする
請求項１又は２に記載の方法。
【請求項４】
前記端末装置がネットワーク装置によって一つの同期信号周期内で送信された複数の同期信号を検出することは、
前記端末装置が前記ネットワーク装置と前記端末装置とによって予め定められた伝送パラメータ、又は前記複数の同期信号の部分の同期信号に含まれる情報に基づいて確定された伝送パラメータに基づき、前記複数の同期信号を検出することを含むことを特徴とする
請求項１−３のいずれか一項に記載の方法。
【請求項５】
前記端末装置が検出された前記複数の同期信号に基づき、前記ネットワーク装置から送信された、前記複数の同期信号に対応するブロードキャストチャネルを検出することは、
前記端末装置が検出された前記複数の同期信号に含まれる情報に基づき、前記対応するブロードキャストチャネルの周波数領域リソース、時間領域リソース、情報スクランブル方式、サブ搬送波間隔又はデータ伝送時間長のうちの少なくとも一つの伝送パラメータを確定することと、
前記端末装置が前記確定された伝送パラメータに基づいて前記対応するブロードキャストチャネルを検出することとを含むことを特徴とする
請求項１−４のいずれか一項に記載の方法。
【請求項６】
前記端末装置がネットワーク装置によって一つの同期信号周期内で送信された複数の同期信号を検出することは、
前記端末装置が異なるビームフォーミング受信重み値を使用し、前記複数の同期信号を検出することを含み、
前記端末装置が検出された前記複数の同期信号に基づき、前記ネットワーク装置から送信された、前記複数の同期信号に対応するブロードキャストチャネルを検出し、又は前記ネットワーク装置から送信された、前記対応するブロードキャストチャネル以外の他の信号を検出することは、
前記端末装置が前記複数の同期信号のうちの第一の同期信号を検出するためのビームフォーミング受信重み値に基づき、前記端末装置の第一のビームフォーミング受信重み値を確定することと、
前記端末装置が前記第一のビームフォーミング受信重み値を使用して前記他の信号又は前記対応するブロードキャストチャネルを検出することとを含むことを特徴とする
請求項１−４のいずれか一項に記載の方法。
【請求項７】
前記第一の同期信号は前記端末装置によって検出された前記複数の同期信号のうちの受信品質が最も良い同期信号であることを特徴とする
請求項６に記載の方法。
【請求項８】
前記方法はさらに、
前記端末装置が前記第一のビームフォーミング受信重み値に基づき、前記端末装置の前記ネットワーク装置へ信号を送信するための第一のビームフォーミング送信重み値を確定することを含むことを特徴とする
請求項６又は７に記載の方法。
【請求項９】
前記対応するブロードキャストチャネルは同じ情報を搬送する複数のブロードキャストチャネルであることを特徴とする
請求項１−８のいずれか一項に記載の方法。
【請求項１０】
前記複数のブロードキャストチャネルのハイブリッド自動再送リクエスト（ＨＡＲＱ）冗長バージョン、周波数領域リソース、時間領域リソース、情報スクランブル方式、サブ搬送波間隔又はデータ伝送時間長のうちの少なくとも一つの伝送パラメータが異なることを特徴とする
請求項９に記載の方法。
【請求項１１】
前記方法はさらに、
前記端末装置が前記ネットワーク装置へ前記複数のブロードキャストチャネルのうちの第一のブロードキャストチャネルを示すためのブロードキャストチャネル指示情報を送信することを含むことを特徴とする
請求項９又は１０に記載の方法。
【請求項１２】
前記端末装置が前記ネットワーク装置へブロードキャストチャネル指示情報を送信することは、
前記端末装置が制御チャネル又はランダムアクセスチャネルを介して前記ネットワーク装置へ前記ブロードキャストチャネル指示情報を送信することを含むことを特徴とする
請求項１１に記載の方法。
【請求項１３】
前記第一のブロードキャストチャネルは、前記端末装置によって検出された前記複数のブロードキャストチャネルのうちの受信品質が最も良いブロードキャストチャネルであることを特徴とする
請求項１１又は１２に記載の方法。
【請求項１４】
前記複数の同期信号に使用される物理リソースと前記対応するブロードキャストチャネルに使用される物理リソースとは予め定義されたマッピング関係を有することを特徴とする
請求項１−１３のいずれか一項に記載の方法。
【請求項１５】
前記対応するブロードキャストチャネルは管理情報バイト（ＭＩＢ）を伝送するための物理ブロードキャストチャネルであることを特徴とする
請求項１−１４のいずれか一項に記載の方法。
【請求項１６】
信号を伝送する方法であって、
ネットワーク装置が一つの同期信号周期内で複数の同期信号を送信することと、
前記ネットワーク装置が前記複数の同期信号を送信した後に前記複数の同期信号に対応するブロードキャストチャネル、又は前記対応するブロードキャストチャネル以外の他の信号を送信することとを含む、前記方法。
【請求項１７】
前記複数の同期信号は同じシーケンスを使用することを特徴とする
請求項１６に記載の方法。
【請求項１８】
前記ネットワーク装置が一つの同期信号周期内で複数の同期信号を送信することは、
前記ネットワーク装置が一つの同期信号周期内で、同じビームフォーミング送信重み値を使用し、複数の同期信号を送信することを含むことを特徴とする
請求項１６又は１７に記載の方法。
【請求項１９】
前記複数の同期信号の周波数領域リソース、時間領域リソース、サブ搬送波間隔又はデータ伝送時間長のうちの少なくとも一つの伝送パラメータが異なることを特徴とする
請求項１６−１８のいずれ一項に記載の方法。
【請求項２０】
前記複数の同期信号の伝送パラメータは、前記ネットワーク装置と前記端末装置とによって予め定められた伝送パラメータであり、又は前記複数の同期信号の伝送パラメータは前記ネットワーク装置が前記複数の同期信号のうちの部分の同期信号に含まれる情報に基づいて確定した伝送パラメータであることを特徴とする
請求項１６−１９のいずれ一項に記載の方法。
【請求項２１】
前記方法はさらに、
ネットワーク装置が前記複数の同期信号に含まれる情報に基づき、前記対応するブロードキャストチャネルの周波数領域リソース、時間領域リソース、情報スクランブル方式、サブ搬送波間隔又はデータ伝送時間長のうちの少なくとも一つの伝送パラメータを確定することを含み、
前記ネットワーク装置が前記複数の同期信号を送信した後に前記複数の同期信号に対応するブロードキャストチャネルを送信することは、
ネットワーク装置が前記複数の同期信号を送信した後に前記確定された伝送パラメータに基づき、前記対応するブロードキャストチャネルを送信することを含むことを特徴とする
請求項１６−２０のいずれ一項に記載の方法。
【請求項２２】
前記ネットワーク装置が前記複数の同期信号を送信した後に、前記複数の同期信号に対応するブロードキャストチャネルを送信することは、
前記ネットワーク装置が前記複数の同期信号を送信した後に、前記複数の同期信号に対応する複数のブロードキャストチャネルを送信することを含み、ここで、前記複数のブロードキャストチャネルが同じ情報を搬送することを特徴とする
請求項１６−２１のいずれ一項に記載の方法。
【請求項２３】
前記ネットワーク装置が前記複数の同期信号を送信した後に前記複数の同期信号に対応する複数のブロードキャストチャネルを送信することは、
前記ネットワーク装置が前記複数の同期信号を送信した後に、異なるビームフォーミング送信重み値を使用して前記複数の同期信号に対応する複数のブロードキャストチャネルを送信することを含むことを特徴とする
請求項２２に記載の方法。
【請求項２４】
前記複数のブロードキャストチャネルのハイブリッド自動再送リクエスト（ＨＡＲＱ）冗長バージョン、周波数領域リソース、時間領域リソース、情報スクランブル方式、サブ搬送波間隔又はデータ伝送時間長のうちの少なくとも一つの伝送パラメータが異なることを特徴とする
請求項２２又は２３に記載の方法。
【請求項２５】
前記方法はさらに、
前記ネットワーク装置が前記端末装置から送信された、前記複数のブロードキャストチャネルのうちの第一のブロードキャストチャネルを示すためのブロードキャストチャネル指示情報を受信することを特徴とする
請求項２２−２４のいずれか一項に記載の方法。
【請求項２６】
前記方法はさらに、
前記ネットワーク装置が前記第一のブロードキャストチャネルを送信するためのビームフォーミング送信重み値に基づき、前記ネットワーク装置が後続に信号を送信するために使用する第一のビームフォーミング送信重み値を確定することを含むことを特徴とする
請求項２５に記載の方法。
【請求項２７】
前記方法はさらに、
前記ネットワーク装置が前記第一のブロードキャストチャネルを送信するためのビームフォーミング送信重み値に基づき、前記ネットワーク装置が後続に端末装置から送信された信号を受信するために使用する第一のビームフォーミング受信重み値を確定することを含むことを含むことを特徴とする
請求項２５又は２６に記載の方法。
【請求項２８】
前記ネットワーク装置が前記端末装置から送信されたブロードキャストチャネル指示情報を受信することは、
前記ネットワーク装置が前記端末装置が制御チャネル又はランダムアクセスチャネルを介して送信した前記ブロードキャストチャネル指示情報を受信することを含むことを特徴とする
請求項２５−２７のいずれか一項に記載の方法。
【請求項２９】
前記複数回送信された同期信号に使用される物理リソースと前記対応するブロードキャストチャネルに使用される物理リソースとは予め定義されたマッピング関係を有することを特徴とする
請求項１６−２８のいずれか一項に記載の方法。
【請求項３０】
前記対応するブロードキャストチャネルは管理情報バイト（ＭＩＢ）を伝送するための物理ブロードキャストチャネルであることを特徴とする
請求項１６−２９のいずれか一項に記載の方法。
【請求項３１】
端末装置であって、
ネットワーク装置によって一つの同期信号周期内で送信された複数の同期信号を検出するように構成される第一の検出モジュールと、
検出された前記複数の同期信号に基づき、前記ネットワーク装置から送信された、前記複数の同期信号に対応するブロードキャストチャネルを検出し、又は前記ネットワーク装置から送信された前記対応するブロードキャストチャネル以外の他の信号を検出するように構成される第二の検出モジュールとを備える、前記端末装置。
【請求項３２】
前記複数の同期信号は同じシーケンスを使用することを特徴とする
請求項３１に記載の端末装置。
【請求項３３】
前記複数の同期信号の周波数領域リソース、時間領域リソース、サブ搬送波間隔又はデータ伝送時間長のうちの少なくとも一つの伝送パラメータが異なることを特徴とする
請求項３１又は３２に記載の端末装置。
【請求項３４】
前記第一の検出モジュールは具体的に前記ネットワーク装置と前記端末装置とによって予め定められた伝送パラメータ、又は前記複数の同期信号の部分の同期信号に含まれる情報に基づいて確定された伝送パラメータに基づき、前記複数の同期信号を検出するように構成されることを特徴とする
請求項３１−３３のいずれか一項に記載の端末装置。
【請求項３５】
前記第二の検出モジュールは具体的に、
検出された前記複数の同期信号に含まれる情報に基づき、前記対応するブロードキャストチャネルの周波数領域リソース、時間領域リソース、情報スクランブル方式、サブ搬送波間隔又はデータ伝送時間長のうちの少なくとも一つの伝送パラメータを確定し、
前記確定された伝送パラメータに基づいて前記対応するブロードキャストチャネルを検出するように構成されることを特徴とする
請求項３１−３４のいずれか一項に記載の端末装置。
【請求項３６】
前記第一の検出モジュールは具体的に異なるビームフォーミング受信重み値を使用し、前記複数の同期信号を検出するように構成され、
前記第二の検出モジュールは具体的に前記複数の同期信号のうちの第一の同期信号を検出するためのビームフォーミング受信重み値に基づき、前記端末装置の第一のビームフォーミング受信重み値を確定し、前記第一のビームフォーミング受信重み値を使用して前記他の信号又は前記対応するブロードキャストチャネルを検出するように構成されることを特徴とする
請求項３１−３４のいずれか一項に記載の端末装置。
【請求項３７】
前記第一の同期信号は前記端末装置によって検出された前記複数の同期信号のうちの受信品質が最も良い同期信号であることを特徴とする
請求項３６に記載の端末装置。
【請求項３８】
前記端末装置はさらに、前記第一のビームフォーミング受信重み値に基づき、前記端末装置の前記ネットワーク装置へ信号を送信するための第一のビームフォーミング送信重み値を確定するように構成される確定モジュールを備えることを特徴とする
請求項３６又は３７に記載の端末装置。
【請求項３９】
前記対応するブロードキャストチャネルは同じ情報を搬送する複数のブロードキャストチャネルであることを特徴とする
請求項３１−３８のいずれか一項に記載の端末装置。
【請求項４０】
前記複数のブロードキャストチャネルのハイブリッド自動再送リクエスト（ＨＡＲＱ）冗長バージョン、周波数領域リソース、時間領域リソース、情報スクランブル方式、サブ搬送波間隔又はデータ伝送時間長のうちの少なくとも一つの伝送パラメータが異なることを特徴とする
請求項３９に記載の端末装置。
【請求項４１】
前記端末装置はさらに、前記ネットワーク装置へ前記複数のブロードキャストチャネルのうちの第一のブロードキャストチャネルを示すためのブロードキャストチャネル指示情報を送信するように構成される送信モジュールを備えることを特徴とする
請求項３９又は４０に記載の端末装置。
【請求項４２】
前記送信モジュールは具体的に制御チャネル又はランダムアクセスチャネルを介して前記ネットワーク装置へ前記ブロードキャストチャネル指示情報を送信するように構成されることを特徴とする
請求項４１に記載の端末装置。
【請求項４３】
前記第一のブロードキャストチャネルは前記端末装置によって検出された前記複数のブロードキャストチャネルのうちの受信品質が最も良いブロードキャストチャネルであることを特徴とする
請求項４１又は４２に記載の端末装置。
【請求項４４】
前記複数の同期信号に使用される物理リソースと前記対応するブロードキャストチャネルに使用される物理リソースとは予め定義されたマッピング関係を有することを特徴とする
請求項３１−４３のいずれか一項に記載の端末装置。
【請求項４５】
前記対応するブロードキャストチャネルは管理情報バイト（ＭＩＢ）を伝送するための物理ブロードキャストであることを特徴とする
請求項３１−４４のいずれか一項に記載の端末装置。
【請求項４６】
ネットワーク装置であって、
一つの同期信号周期内で複数の同期信号を送信するように構成される第一の送信モジュールと、
前記複数の同期信号を送信した後に前記複数の同期信号に対応するブロードキャストチャネルを送信し、又は前記対応するブロードキャストチャネル以外の他の信号を送信するように構成される第二の送信モジュールとを備える、前記ネットワーク装置。
【請求項４７】
前記複数の同期信号は同じシーケンスを使用することを特徴とする
請求項４６に記載のネットワーク装置。
【請求項４８】
前記第一の送信モジュールは具体的に一つの同期信号周期内で同じビームフォーミング送信重み値を使用して複数の同期信号を送信することを特徴とする
請求項４６又は４７に記載のネットワーク装置。
【請求項４９】
前記複数の同期信号の周波数領域リソース、時間領域リソース、サブ搬送波間隔又はデータ伝送時間長のうちの少なくとも一つの伝送パラメータが異なることを特徴とする
請求項４６−４８のいずれか一項に記載のネットワーク装置。
【請求項５０】
前記複数の同期信号の伝送パラメータは、前記ネットワーク装置と前記端末装置とによって予め定められた伝送パラメータであり、又は前記複数の同期信号の伝送パラメータは前記ネットワーク装置が前記複数の同期信号のうちの部分の同期信号に含まれる情報に基づいて確定した伝送パラメータであることを特徴とする
請求項４６−４９のいずれか一項に記載のネットワーク装置。
【請求項５１】
前記対応するブロードキャストチャネルの周波数領域リソース、時間領域リソース、情報スクランブル方式、サブ搬送波間隔又はデータ伝送時間長のうちの少なくとも一つの伝送パラメータは、前記ネットワーク装置が前記複数の同期信号に含まれる情報に基づいて確定したものであり、
前記第二の送信モジュールは具体的に前記複数の同期信号を送信した後に、前記確定された伝送パラメータに基づき、前記対応するブロードキャストチャネルを送信するように構成されることを特徴とする
請求項４６−５０のいずれか一項に記載のネットワーク装置。
【請求項５２】
前記第二の送信モジュールは具体的に前記複数の同期信号を送信した後に、前記複数の同期信号に対応する複数のブロードキャストチャネルを送信するように構成され、ここで、前記複数のブロードキャストチャネルが同じ情報を搬送することを特徴とする
請求項４６−５１のいずれか一項に記載のネットワーク装置。
【請求項５３】
前記第二の送信モジュールは具体的に前記複数の同期信号を送信した後に、異なるビームフォーミング送信重み値を使用して前記複数の同期信号に対応する複数のブロードキャストチャネルを送信するように構成されることを特徴とする
請求項５２に記載のネットワーク装置。
【請求項５４】
前記複数のブロードキャストチャネルのハイブリッド自動再送リクエスト（ＨＡＲＱ）冗長バージョン、周波数領域リソース、時間領域リソース、情報スクランブル方式、サブ搬送波間隔又はデータ伝送時間長のうちの少なくとも一つの伝送パラメータが異なることを特徴とする
請求項５２又は５３に記載のネットワーク装置。
【請求項５５】
前記ネットワーク装置はさらに、前記端末装置から送信された、前記複数のブロードキャストチャネルのうちの第一のブロードキャストチャネルを示すためのブロードキャストチャネル指示情報を受信するように構成される受信モジュールを備えることを特徴とする
請求項５２−５４のいずれか一項に記載のネットワーク装置。
【請求項５６】
前記ネットワーク装置はさらに、ネットワーク装置が前記第一のブロードキャストチャネルを送信するためのビームフォーミング送信重み値に基づき、前記ネットワーク装置が後続に信号を送信するために使用する第一のビームフォーミング送信重み値を確定するように構成される第一の確定モジュールを備えることを特徴とする
請求項５５に記載のネットワーク装置。
【請求項５７】
前記ネットワーク装置はさらに、前記ネットワーク装置が前記第一のブロードキャストチャネルを送信するためのビームフォーミング送信重み値に基づき、前記ネットワーク装置が後続に端末装置から送信された信号を受信するために使用する第一のビームフォーミング受信重み値を確定するように構成される第二の確定モジュールを備えることを特徴とする
請求項５５又は５６に記載のネットワーク装置。
【請求項５８】
前記受信モジュールは具体的に前記端末装置が制御チャネル又はランダムアクセスチャネルを介して送信した前記ブロードキャストチャネル指示情報を受信するように構成されることを特徴とする
請求項５５−５７のいずれか一項に記載のネットワーク装置。
【請求項５９】
前記複数回送信された同期信号に使用される物理リソースと前記対応するブロードキャストチャネルに使用される物理リソースとは予め定義されたマッピング関係を有することを特徴とする
請求項４６−５８のいずれか一項に記載のネットワーク装置。
【請求項６０】
前記対応するブロードキャストチャネルは管理情報バイト（ＭＩＢ）を伝送するための物理ブロードキャストであることを特徴とする
請求項４６−５９のいずれか一項に記載のネットワーク装置。
【発明の詳細な説明】
【技術分野】
【０００１】
本発明は、無線通信分野に関し、且つより具体的には、信号を伝送する方法、ネットワーク装置及び端末装置に関する。
【背景技術】
【０００２】
５Ｇ技術において、５Ｇの伝送レート要求を達成するために、高周波数帯域（中心周波数が６ＧＨｚを超え、例えば２８ＧＨｚである）におけるデータ伝送をサポートする必要がある。高周波数帯域においてデータ伝送を行う時に、より高い伝送レートを達成するために、多入力多出力（ＭＩＭＯ：Ｍｕｌｔｉｐｌｅ−Ｉｎｐｕｔ  Ｍｕｌｔｉｐｌｅ−Ｏｕｔｐｕｔ）アンテナ技術を使用する必要がある。高周波数帯域においてＭＩＭＯ技術を使用する場合、アンテナのラジオ周波数機器に対する要求が非常に高く、アンテナのハードウェアに関わるコスト、例えばアナログ／デジタル（Ａ／Ｄ）又はデジタルアナログ（Ｄ／Ａ）変換器の数も大幅に増加する。コストを削減させるために、一般的に高周波数帯域においてアナログビームフォーミングにより送受信のラジオ周波数ユニットの数を減らす。アナログビームフォーミング技術とは、Ｄ／Ａ変換の後、移相器によってアナログ信号の波形を整形するという技術である。アナログビームフォーミング技術はデータチャネルの伝送だけでなく、セルアクセスプロセスに用いられてもよい。
【０００３】
長期進化型システム（ＬＴＥ：Ｌｏｎｇ  Ｔｅｒｍ  Ｅｖｏｌｕｔｉｏｎ）では、端末装置はセルアクセスを行う時に、まずセルからの同期信号と対応するブロードキャストチャネルを検出する必要がある。このようなセルアクセス方式では、端末装置の同期信号の検出性能が悪く、後続の対応するブロードキャストチャネル又は他の信号の検出性能に影響を与える。
【発明の概要】
【発明が解決しようとする課題】
【０００４】
本発明の実施例は、端末装置の信号検出性能を向上させることができる、信号を伝送する方法及び装置を提供する。
【課題を解決するための手段】
【０００５】
第一の態様による信号を伝送する方法は、端末装置がネットワーク装置によって一つの同期信号周期内で送信された複数の同期信号を検出することと、前記端末装置が検出された前記複数の同期信号に基づき、前記ネットワーク装置から送信された、前記複数の同期信号に対応するブロードキャストチャネルを検出し、又は前記ネットワーク装置によって前記複数の同期信号の後に送信された、前記対応するブロードキャストチャネル以外の他の信号を検出することとを含む。
【０００６】
本発明の実施例では、端末装置がネットワーク装置によって一つの同期信号周期内で送信された複数の同期信号を検出するので、端末装置は一つの同期信号周期内の複数の同期信号に基づき、ネットワーク装置によって後続に送信される信号又はブロードキャストチャネルを検出することができ、それによって端末装置が後続の信号又はブロードキャストチャネルを検出する時間を短縮させ、さらに端末装置の信号検出性能を向上させることができる。
【０００７】
一つの可能な実施形態では、前記複数の同期信号が同じシーケンスを使用する。
【０００８】
本発明の実施例では、端末装置によって検出された複数の同期信号が同じシーケンスを使用し、即ち複数の同期信号が繰り返して送信されるので、端末装置は、同じ情報を搬送する複数の同期信号に基づいて検出することにより、同期信号の検出の精度を向上させることができる。
【０００９】
一つの可能な実施形態では、前記複数の同期信号の周波数領域リソース、時間領域リソース、サブ搬送波間隔又はデータ伝送時間長のうちの少なくとも一つの伝送パラメータが異なる。
【００１０】
本発明の実施例では、ネットワーク装置から送信された複数の同期信号の伝送パラメータが異なるので、端末装置はこの複数の異なる信号をより良く受信することができる。
【００１１】
一つの可能な実施形態では、前記端末装置がネットワーク装置によって一つの同期信号周期内で送信された複数の同期信号を検出することは、前記端末装置が前記ネットワーク装置と前記端末装置とによって予め定められた伝送パラメータ、又は前記複数の同期信号の部分の同期信号に含まれる情報に基づいて確定された伝送パラメータに基づき、前記複数の同期信号を検出することを含む。
【００１２】
一つの可能な実施形態では、前記端末装置が検出された前記複数の同期信号に基づき、前記ネットワーク装置から送信された、前記複数の同期信号に対応するブロードキャストチャネルを検出することは、前記端末装置が検出された前記複数の同期信号に含まれる情報に基づき、前記対応するブロードキャストチャネルの周波数領域リソース、時間領域リソース、情報スクランブル方式、サブ搬送波間隔又はデータ伝送時間長のうちの少なくとも一つの伝送パラメータを確定することと、前記端末装置が前記確定された伝送パラメータに基づいて前記対応するブロードキャストチャネルを検出することとを含む。
【００１３】
一つの可能な実施形態では、前記端末装置がネットワーク装置によって一つの同期信号周期内で送信された複数の同期信号を検出することは、前記端末装置が異なるビームフォーミング受信重み値を使用し、前記複数の同期信号を検出することを含み、前記端末装置が検出された前記複数の同期信号に基づき、前記ネットワーク装置から送信された、前記複数の同期信号に対応するブロードキャストチャネルを検出し、又は前記ネットワーク装置から送信された、前記対応するブロードキャストチャネル以外の他の信号を検出することは、前記端末装置が前記複数の同期信号のうちの第一の同期信号を検出するためのビームフォーミング受信重み値に基づき、前記端末装置の第一のビームフォーミング受信重み値を確定することと、前記端末装置が前記第一のビームフォーミング受信重み値を使用して前記他の信号又は前記対応するブロードキャストチャネルを検出することとを含む。
【００１４】
本発明の実施例では、端末装置は異なるビームフォーミング受信重み値を使用して複数の同期信号を受信し、これにより端末装置は一つの同期信号周期内で、受信された、ニーズを満たすある同期信号に対応するビームフォーミング受信重み値に基づき、ネットワーク装置によって後続に送信される信号又はブロードキャストチャネルを検出するためのビームフォーミング受信重み値を確定することができ、即ち端末装置は、そのネットワーク装置によって後続に送信される信号又はブロードキャストチャネルを受信するためのビームフォーミング重み値を確定するプロセスを短縮させることができる。
【００１５】
一つの可能な実施形態では、前記第一の同期信号は前記端末装置によって検出された前記複数の同期信号のうちの受信品質が最も良い同期信号である。
【００１６】
本発明の実施例では、端末装置は、受信品質が最も良い同期信号に対応するビームフォーミング重み値をネットワーク装置によって後続に送信される信号又はブロードキャストチャネルを受信するためのビームフォーミング重み値とすることにより、後続に送信される信号又はブロードキャストチャネルの受信性能を向上できる。
【００１７】
一つの可能な実施形態では、前記方法はさらに、前記端末装置が前記第一のビームフォーミング受信重み値に基づき、前記端末装置の前記ネットワーク装置へ信号を送信するための第一のビームフォーミング送信重み値を確定することを含む。
【００１８】
一つの可能な実施形態では、前記端末装置が前記第一のビームフォーミング受信重み値に基づき、前記端末装置の前記ネットワーク装置へ信号を送信するための第一のビームフォーミング送信重み値を確定することは、前記端末装置の前記同期信号を受信するためのラジオ周波数ユニットの数が前記端末装置の前記ネットワーク装置へ信号を送信するためのラジオ周波数ユニットに等しい場合、前記端末装置が前記第一のビームフォーミング受信重み値を前記第一のビームフォーミング送信重み値として確定することを含む。
【００１９】
一つの可能な実施形態では、前記端末装置が前記第一のビームフォーミング受信重み値に基づき、前記端末装置の前記ネットワーク装置へ信号を送信するための第一のビームフォーミング送信重み値を確定することは、前記端末装置の前記同期信号を受信するためのラジオ周波数ユニットの数が前記端末装置の前記ネットワーク装置へ信号を送信するためのラジオ周波数ユニットの数に等しくない場合、前記端末装置が前記第一のビームフォーミング受信重み値に対応する角度と前記端末装置の前記ネットワーク装置へ信号を送信するためのラジオ周波数ユニットの数に基づき、前記第一のビームフォーミング送信重み値を確定することを含む。
【００２０】
一つの可能な実施形態では、前記対応するブロードキャストチャネルは同じ情報を搬送する複数のブロードキャストチャネルである。
【００２１】
一つの可能な実施形態では、前記端末装置によって検出された前記対応するブロードキャストチャネルは複数のブロードキャストチャネルであり、前記複数のブロードキャストチャネルのハイブリッド自動再送リクエスト（ＨＡＲＱ：Ｈｙｂｒｉｄ  Ａｕｔｏｍａｔｉｃ  Ｒｅｐｅａｔ  ｒｅＱｕｅｓｔ）冗長バージョン、周波数領域リソース、時間領域リソース、情報スクランブル方式、サブ搬送波間隔又はデータ伝送時間長のうちの少なくとも一つの伝送パラメータが異なる。
【００２２】
一つの可能な実施形態では、前記端末装置によって検出された前記対応するブロードキャストチャネルが複数のブロードキャストチャネルである場合、前記方法はさらに、前記端末装置が前記ネットワーク装置へ前記複数のブロードキャストチャネルのうちの第一のブロードキャストチャネルを示すためのブロードキャストチャネル指示情報を送信することを含む。
【００２３】
本発明の実施例では、端末装置はネットワーク装置へあるブロードキャストチャネルを示すための指示情報を送信し、これによりネットワーク装置は該指示情報に基づき、ネットワーク装置が後続にブロードキャストチャネルを送信する時に使用できる送信パラメータを確定することが可能となる。
【００２４】
一つの可能な実施形態では、前記第一のブロードキャストチャネルは前記端末装置が前記第一のビームフォーミング受信重み値を使用して受信した前記複数のブロードキャストチャネルのうちの受信品質が最も良いブロードキャストチャネルである。
【００２５】
一つの可能な実施形態では、前記端末装置が前記ネットワーク装置へブロードキャストチャネル指示情報を送信することは、前記端末装置が制御チャネル又はランダムアクセスチャネルを介して前記ネットワーク装置へ前記ブロードキャストチャネル指示情報を送信することを含む。
【００２６】
一つの可能な実施形態では、前記複数回送信された同期信号に使用される物理リソースと前記対応するブロードキャストチャネルに使用される物理リソースとは予め定義されたマッピング関係を有する。
【００２７】
一つの可能な実施形態では、前記対応するブロードキャストチャネルは管理情報バイト（ＭＩＢ：Ｍａｎａｇｅｍｅｎｔ  Ｉｎｆｏｒｍａｔｉｏｎ  Ｂｙｔｅ）を伝送するための物理ブロードキャストチャネルである。
【００２８】
第二の態様による信号を伝送する方法は、ネットワーク装置が一つの同期信号周期内で複数の同期信号を送信することと、前記ネットワーク装置が前記複数の同期信号に対応するブロードキャストチャネル又は前記対応するブロードキャストチャネル以外の他の信号を送信することとを含む。
【００２９】
本発明の実施例では、ネットワーク装置は一つの同期信号周期内で複数の同期信号を送信し、これにより端末装置は一つの同期信号周期内の複数の同期信号に基づき、ネットワーク装置によって後続に送信される信号又はブロードキャストチャネルを検出することができ、それによって端末装置が信号又はブロードキャストチャネルを検出する時間を短縮させ、さらに端末装置の信号検出性能を向上することができる。
【００３０】
一つの可能な実施形態では、前記複数の同期信号は同じシーケンスを使用する。
【００３１】
一つの可能な実施形態では、前記ネットワーク装置が一つの同期信号周期内で複数の同期信号を送信することは、前記ネットワーク装置が一つの同期信号周期内で、同じビームフォーミング送信重み値を使用し、複数の同期信号を送信することを含む。
【００３２】
本発明の実施例では、ネットワーク装置によって一つの同期信号周期内で送信された複数の同期信号が同じビームフォーミング送信重み値を使用するので、端末装置はこの複数の同期信号に基づいて後続信号又はブロードキャストチャネルをより良く検出することができる。
【００３３】
一つの可能な実施形態では、前記複数の同期信号の周波数領域リソース、時間領域リソース、サブ搬送波間隔又はデータ伝送時間長のうちの少なくとも一つの伝送パラメータが異なる。
【００３４】
一つの可能な実施形態では、複数の同期信号の伝送パラメータは、前記ネットワーク装置と前記端末装置とによって予め定められた伝送パラメータであり、又は前記複数の同期信号の伝送パラメータは前記ネットワーク装置が前記複数の同期信号のうちの部分の同期信号に含まれる情報に基づいて確定した伝送パラメータである。
【００３５】
一つの可能な実施形態では、前記対応するブロードキャストチャネルの周波数領域リソース、時間領域リソース、情報スクランブル方式、サブ搬送波間隔又はデータ伝送時間長のうちの少なくとも一つの伝送パラメータは前記ネットワーク装置が前記複数の同期信号に含まれる情報に基づいて確定したものであり、前記ネットワーク装置が前記複数の同期信号を送信した後に前記複数の同期信号に対応するブロードキャストチャネルを送信することは、ネットワーク装置が前記複数の同期信号を送信した後に前記確定された伝送パラメータに基づき、前記対応するブロードキャストチャネルを送信することを含む。
【００３６】
一つの可能な実施形態では、前記ネットワーク装置が前記複数の同期信号を送信した後に前記複数の同期信号に対応するブロードキャストチャネルを送信することは、前記ネットワーク装置が前記複数の同期信号を送信した後に前記複数の同期信号に対応する複数のブロードキャストチャネルを送信することを含み、その中、前記複数のブロードキャストチャネルが同じ情報を搬送する。
【００３７】
一つの可能な実施形態では、前記ネットワーク装置が前記複数の同期信号を送信した後に前記複数の同期信号に対応する複数のブロードキャストチャネルを送信することは、前記ネットワーク装置が前記複数の同期信号を送信した後に、異なるビームフォーミング送信重み値を使用して前記複数の同期信号に対応する複数のブロードキャストチャネルを送信することを含む。
【００３８】
一つの可能な実施形態では、前記対応するブロードキャストチャネルは複数のブロードキャストチャネルであり、前記複数のブロードキャストチャネルのＨＡＲＱ冗長バージョン、周波数領域リソース、時間領域リソース、情報スクランブル方式、サブ搬送波間隔又はデータ伝送時間長のうちの少なくとも一つの伝送パラメータが異なる。
【００３９】
一つの可能な実施形態では、前記対応するブロードキャストチャネルが複数のブロードキャストチャネルである場合、前記方法はさらに、前記ネットワーク装置が前記端末装置から送信された、前記複数のブロードキャストチャネルのうちの第一のブロードキャストチャネルを示すためのブロードキャストチャネル指示情報を受信する。
【００４０】
一つの可能な実施形態では、前記ネットワーク装置が前記端末装置から送信されたブロードキャストチャネル指示情報を受信することは、前記ネットワーク装置が前記端末装置が制御チャネル又はランダムアクセスチャネルを介して送信した前記ブロードキャストチャネル指示情報を受信することを含む。
【００４１】
一つの可能な実施形態では、前記複数回送信された同期信号に使用される物理リソースと前記対応するブロードキャストチャネルに使用される物理リソースとは予め定義されたマッピング関係を有する。
【００４２】
一つの可能な実施形態では、前記方法はさらに、前記ネットワーク装置が前記第一のブロードキャストチャネルを送信するためのビームフォーミング送信重み値に基づき、前記ネットワーク装置が後続にブロードキャストチャネルを送信するために使用する第一のビームフォーミング送信重み値を確定することを含む。
【００４３】
一つの可能な実施形態では、前記ネットワーク装置が前記第一のブロードキャストチャネルを送信するためのビームフォーミング送信重み値に基づき、前記ネットワーク装置が他の信号を送信するために使用する第一のビームフォーミング送信重み値を確定することは、前記ネットワーク装置が前記第一のブロードキャストチャネルを送信するためのビームフォーミング送信重み値を前記第一のビームフォーミング送信重み値として確定することを含む。
【００４４】
一つの可能な実施形態では、前記方法はさらに、前記ネットワーク装置が前記第一のビームフォーミング送信重み値に基づき、前記ネットワーク装置の信号を受信するためのビームフォーミング受信重み値を確定することを含む。
【００４５】
一つの可能な実施形態では、前記ネットワーク装置が前記第一のビームフォーミング送信重み値に基づき、前記ネットワーク装置の信号を受信するためのビームフォーミング受信重み値を確定することは、前記ネットワーク装置の前記第一のブロードキャストチャネルを送信するためのラジオ周波数ユニットの数が前記ネットワーク装置の信号を受信するためのラジオ周波数ユニットの数に等しい場合、前記第一のビームフォーミング送信重み値を前記ビームフォーミング受信重み値として確定することを含む。
【００４６】
一つの可能な実施形態では、前記ネットワーク装置が前記第一のビームフォーミング送信重み値に基づき、前記ネットワーク装置の信号を受信するためのビームフォーミング受信重み値を確定することは、前記ネットワーク装置の前記第一のブロードキャストチャネルを送信するためのラジオ周波数ユニットの数が前記ネットワーク装置の信号を受信するためのラジオ周波数ユニットの数に等しくない場合、前記第一のビームフォーミング送信重み値に対応する角度と前記信号を受信するためのラジオ周波数ユニットの数に基づき、前記ビームフォーミング受信重み値を確定することを含む。
【００４７】
一つの可能な実施形態では、前記対応するブロードキャストチャネルはＭＩＢを伝送するための物理ブロードキャストチャネルである。
【００４８】
第三の態様による端末装置は、上記第一の態様及び各実施形態における信号を伝送する方法の端末装置によって実行される各プロセスを実行することに用いられてもよい。該端末装置は、ネットワーク装置によって一つの同期信号周期内で送信された複数の同期信号を検出するように構成される第一の検出モジュールと、検出された前記複数の同期信号に基づき、前記ネットワーク装置によって前記複数の同期信号の後に送信された信号を検出し、又は前記ネットワーク装置から送信された、前記複数の同期信号に対応するブロードキャストチャネルを検出するように構成される第二の検出モジュールとを備える。
【００４９】
第四の態様によるネットワーク装置は、上記第二の態様及び各実施形態における信号を伝送する方法のネットワーク装置によって実行される各プロセスを実行することに用いられてもよい。該ネットワーク装置は、一つの同期信号周期内で複数の同期信号を送信するように構成される第一の送信モジュールと、前記複数の同期信号を送信した後に他の信号を送信し、又は前記複数の同期信号に対応するブロードキャストチャネルを送信するように構成される第二の送信モジュールとを備える。
【００５０】
第五の態様による端末装置は、プロセッサ、メモリ、受信機と送信機を備え、前記メモリがコードを記憶するように構成され、前記プロセッサが前記メモリでのコードを実行するように構成される。前記コードが実行される時に、前記プロセッサは前記受信機と送信機を呼び出して第一の態様の方法を実現する。
【００５１】
第六の態様によるネットワーク装置は、プロセッサ、メモリ、受信機と送信機を備え、前記メモリがコードを記憶するように構成され、前記プロセッサが前記メモリでのコードを実行するように構成される。前記コードが実行される時に、前記プロセッサは前記受信機と送信機を呼び出して第二の態様の方法を実現する。
【００５２】
第七の態様によるシステムチップは、入力インタフェース、出力インタフェース、少なくとも一つのプロセッサ、メモリを備え、前記プロセッサが前記メモリでのコードを実行するように構成され、前記コードが実行される時に、前記プロセッサが上記第一の態様及び各実施形態における信号を伝送する方法の端末装置によって実行される各プロセスを実現することができる。
【００５３】
第八の態様によるシステムチップは、入力インタフェース、出力インタフェース、少なくとも一つのプロセッサ、メモリを備え、前記プロセッサが前記メモリでのコードを実行するように構成され、前記コードが実行される時に、前記プロセッサが上記第二の態様及び各実施形態における信号を伝送する方法のネットワーク装置によって実行される各プロセスを実現することができる。
【００５４】
第九の態様によるコンピュータ可読記憶媒体は、端末装置に上記第一の態様、及びその各実施形態のいずれかの信号を伝送する方法を実行させるためのプログラムを記憶する。
【００５５】
第十の態様によるコンピュータ可読記憶媒体は、ネットワーク装置に上記第二の態様、及びその各実施形態のいずれかの信号を伝送する方法を実行させるためのプログラムを記憶する。
【図面の簡単な説明】
【００５６】
【図１】本発明の実施例の一つの応用シーンを示す図である。
【図２】本発明の実施例による信号を伝送する方法の概略フローチャートである。
【図３】本発明の実施例による信号を伝送する方法の概略フローチャートである。
【図４】本発明の実施例による信号を伝送する方法を示す図である。
【図５】本発明の実施例による信号を伝送する方法を示す図である。
【図６】本発明の実施例による信号を伝送する方法を示す図である。
【図７】本発明の実施例による信号を伝送する方法を示す図である。
【図８】本発明の実施例によるネットワーク装置の概略構造図である。
【図９】本発明の実施例による端末装置の概略構造図である。
【図１０】本発明の実施例によるネットワーク装置の概略構造図である。
【図１１】本発明の実施例による端末装置の概略構造図である。
【図１２】本発明の実施例によるシステムチップの概略構造図である。
【図１３】本発明の実施例によるシステムチップの概略構造図である。
【発明を実施するための形態】
【００５７】
本出願の実施例の技術的解決策をより明確に説明するために、以下に本出願の実施例に必要な図面を簡単に説明し、明らかに、以下に記載される図面が本出願のいくつかの実施例だけであり、当業者であれば、創造的な労力を要することなく、これらの図面に基づいて他の図面を得ることができる。
【００５８】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００５９】
理解すべきものとして、本発明の実施例の技術的解決策は、様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）などの現在の通信システム、及び特に将来の５Ｇシステムに応用されてもよい。
【００６０】
本発明の実施例における端末装置はユーザ機器（Ｕｓｅｒ  Ｅｑｕｉｐｍｅｎｔ：「ＵＥ」と略称）、アクセス端末、加入者ユニット、加入者局、移動局、移動サイト、遠隔局、遠隔端末、モバイル装置、ユーザ端末、端末、無線通信装置、ユーザエージェント又はユーザ装置であってもよい。アクセス端末は、セルラ電話、コードレス電話、セッション開始プロトコル（Ｓｅｓｓｉｏｎ  Ｉｎｉｔｉａｔｉｏｎ  Ｐｒｏｔｏｃｏｌ：「ＳＩＰ」と略称）電話、ワイヤレスローカルループ（Ｗｉｒｅｌｅｓｓ  Ｌｏｃａｌ  Ｌｏｏｐ：「ＷＬＬ」と略称）局、パーソナルデジタルアシスタント（Ｐｅｒｓｏｎａｌ  Ｄｉｇｉｔａｌ  Ａｓｓｉｓｔａｎｔ：「ＰＤＡ」と略称）、無線通信機能を有しているハンドヘルドデバイス、コンピューティングデバイス又は無線モデムに接続された他の処理デバイス、車載デバイス、ウェアラブルデバイス及び将来の５Ｇネットワークにおける端末装置又は将来の進化した公衆陸上モバイルネットワーク（Ｐｕｂｌｉｃ  Ｌａｎｄ  Ｍｏｂｉｌｅ  Ｎｅｔｗｏｒｋ：「ＰＬＭＮ」と略称）における端末装置などであってもよい。
【００６１】
本発明の実施例におけるネットワーク装置は端末装置と通信するための装置であってもよく、該ネットワーク装置はＧＳＭ又はＣＤＭＡにおける基地局（Ｂａｓｅ  Ｔｒａｎｓｃｅｉｖｅｒ  Ｓｔａｔｉｏｎ：「ＢＴＳ」と略称）であってもよいし、ＷＣＤＭＡシステムにおける基地局（ＮｏｄｅＢ：「ＮＢ」と略称）であってもよいし、ＬＴＥシステムにおける進化型基地局（Ｅｖｏｌｕｔｉｏｎａｌ  Ｎ  ｏｄｅＢ：「ｅＮＢ又はｅＮｏｄｅＢ」と略称）であってもよいし、クラウド無線アクセスネットワーク（Ｃｌｏｕｄ  Ｒａｄｉｏ  Ａｃｃｅｓｓ  Ｎｅｔｗｏｒｋ：「ＣＲＡＮ」と略称）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよい。以下に基地局をネットワーク装置の具体的な例として説明する。
【００６２】
図１は、本発明の一つの応用シーンを示す図である。図１における通信システムは基地局１０と端末装置２０を備えることができる。基地局１０は端末装置２０に通信サービスを提供してコアネットワークにアクセスことに用いられ、端末装置２０は基地局１０から送信された同期信号、ブロードキャスト信号などを検索してネットワークにアクセスし、それによってネットワークとの通信を行う。図１に示す矢印は端末装置２０と基地局１０の間のセルラリンクによるアップリンク／ダウンリンク伝送を表すことができる。
【００６３】
図２は本発明の実施例による信号を伝送する方法の概略フローチャートである。該方法における端末装置は図１における端末装置２０であってもよく、該方法におけるネットワーク装置は図１における基地局１０であってもよい。理解すべきものとして、図２に信号を伝送する方法のステップ又は操作が示され、これらのステップ又は操作が例だけであり、本発明の実施例はさらに他の操作又は図２における各操作の変形を実行することができる。
【００６４】
Ｓ２１０において、ネットワーク装置は一つの同期信号周期内で複数の同期信号を送信する。
【００６５】
Ｓ２２０において、ネットワーク装置は前記複数の同期信号を送信した後に前記複数の同期信号に対応するブロードキャストチャネルを送信し、又は前記対応するブロードキャストチャネル以外の他の信号を送信する。
【００６６】
これに対応して、本発明の実施例の端末装置によって実行される信号を伝送する方法の概略フローチャートは図３の通りである。理解すべきものとして、図３に信号を伝送する方法のステップ又は操作が示され、これらのステップ又は操作が例だけであり、本発明の実施例はさらに他の操作又は図３における各操作の変形を実行することができる。
【００６７】
Ｓ３１０において、端末装置はネットワーク装置によって一つの同期信号周期内で送信された複数の同期信号を検出する。
【００６８】
Ｓ３２０において、端末装置は検出された前記複数の同期信号に基づき、ネットワーク装置から送信された、前記複数の同期信号に対応するブロードキャストチャネルを検出し、又はネットワーク装置から送信された、前記ブロードキャストチャネル以外の他の信号を検出する。
【００６９】
本発明の実施例では、ネットワーク装置が一つの同期信号期間内で複数の同期信号を送信し、端末装置が複数の同期信号に基づいて検出を行い、これにより同期信号の検出性能を向上させることができる。対応するブロードキャストチャネルが同期信号に含まれる情報に基づいて検出される必要があるので、同時にブロードキャストチャネルの検出性能を向上させることができる。
【００７０】
本発明の実施例では、同期信号（ＳＳ：Ｓｙｎｃｈｒｏｎｏｕｓ  Ｓｉｇｎａｌ）はプライマリ同期信号（ＰＳＳ：Ｐｒｉｍａｒｙ  Ｓｙｎｃｈｒｏｎｏｕｓ  Ｓｉｇｎａｌ）であってもよく、セカンダ同期信号（ＳＳＳ：Ｓｅｃｏｎｄａｒｙ  Ｓｙｎｃｈｒｏｎｏｕｓ  Ｓｉｇｎａｌ）であってもよく、またプライマリ同期信号とセカンダ同期信号からなる同期信号であってもよい。
【００７１】
本発明の実施例では、複数の同期信号は同じシーケンスを使用することができ、即ち複数の同期信号は繰り返して送信される同じ信号である。この複数の同期信号は、例えばＺＣ（Ｚａｄｏｆｆ−Ｃｈｕ）シーケンス又は擬似ランダムシーケンスなどのシーケンスを使用して得られてもよい。
【００７２】
本発明の実施例では、ネットワーク装置が前記複数の同期信号の後に送信した信号は他のタイプの同期信号、パイロット信号又はデータ信号などであってもよく、本発明はこれに限定されない。
【００７３】
本発明の実施例では、ネットワーク装置から送信された同期信号及び対応するブロードキャストチャネルに使用される物理リソースは予め定義された対応関係を用いることができる。例えば、同期信号及び対応するブロードキャストチャネルは予め定められた固定の時間周波数リソースで伝送され、又は同期信号及び対応するブロードキャストチャネルは、時間領域リソースにおいて固定の伝送時間単位で区切られている。
【００７４】
本発明の実施例では、同期信号に対応するブロードキャストチャネルを確定する方法は、同期信号に含まれる識別子（ＩＤ：Ｉｄｅｎｔｉｆｉｃａｔｉｏｎ）を使用してブロードキャストチャネルの伝送フォーマットを確定し、例えばブロードキャストチャネルのスクランブルを確定することである。同期信号に含まれるＩＤはネットワークを示すためのＩＤ、例えばセルＩＤ、ハイパーセル（ｈｙｐｅｒｃｅｌｌ）ＩＤ、システム（ｓｙｓｔｅｍ）ＩＤなどであってもよい。
【００７５】
本発明の実施例では、ネットワーク装置が一つの同期信号周期内で複数回送信される同期信号は異なる伝送パラメータを使用することができる。ここに記載されている伝送パラメータは周波数領域リソース、例えば物理リソースブロック（ＰＲＢ：Ｐｈｙｓｉｃａｌ  Ｒｅｓｏｕｒｃｅ  Ｂｌｏｃｋ）、サブ搬送波、サブバンド、又は複数の以上のリソースの集合のうちの少なくとも一つを含むことができ、周波数領域リソースを確定するための周波数ホッピングパターン、時間領域リソース、例えばサブフレーム、シンボル又は定義された他の伝送時間単位であってもよいし、以上のリソースによる構成される集合、又は時間領域リソースを確定するための周波数ホッピングパターン、サブ搬送波間隔、データ伝送時間長例えば持続時間長などであってもよい。
【００７６】
この複数の同期信号の伝送パラメータはネットワーク装置と端末装置とによって予め定められたものであってもよく、又はこの複数の同期信号の部分の同期信号に搬送されてもよい。
【００７７】
この複数の同期信号の伝送パラメータがネットワーク装置と端末装置によって予め設定されたものである場合、端末装置は定められた伝送パラメータに基づいてこの複数の同期信号を検出し、この複数の同期信号の伝送パラメータがこの複数の同期信号の部分の同期信号に含まれる場合、端末装置は伝送パラメータを搬送した同期信号を検出した後に、この部分の同期信号に含まれる伝送パラメータに基づいてこの複数の同期信号のうちの他の同期信号を検出する。例えば端末装置は一部の同期信号に含まれるネットワーク側ＩＤに基づいて他の同期信号の伝送パラメータを確定することができる。
【００７８】
本発明の実施例では、ネットワーク装置は一つの同期信号周期内で同じビームフォーミング重み値を使用してこの複数の同期信号を送信することができる。該ビームフォーミング重み値はアナログビームフォーミング重み値、又はデジタルビームフォーミング重み値、又は混合ビームフォーミング重み値であってもよい。ここで混合ビームフォーミング重み値はアナログビームフォーミング重み値とデジタルビームフォーミング重み値が組み合わせられた重み値、例えばアナログビームフォーミング重み値とデジタルビームフォーミング重み値のマトリックスクロネッカー積又は乗算積である。
【００７９】
より具体的には、ネットワーク装置が同期信号を送信するために使用するビームフォーミング重み値は広ビームフォーミング重み値であってもよく、例えばブロードキャストビームフォーミング重み値を使用する。このようにして同期信号はより広いカバレッジを達成することができる。
【００８０】
本発明の実施例では、端末装置がネットワーク装置によって一つの同期信号周期内で送信された複数の同期信号を検出する一つの可能な実施形態は、端末装置が異なるビームフォーミング受信重み値を使用し、ネットワーク装置によって一つの同期信号周期内で送信された複数の同期信号を検出することである。これに対応して、端末装置が検出された前記複数の同期信号に基づき、ネットワーク装置によって前記複数の同期信号の後に送信された信号を検出し、又はネットワーク装置から送信された、前記複数の同期信号に対応するブロードキャストチャネルを検出する実施形態は、端末装置が前記複数の同期信号のうちの第一の同期信号を検出するためのビームフォーミング受信重み値に基づき、端末装置の第一のビームフォーミング受信重み値を確定し、端末装置が第一のビームフォーミング受信重み値を使用し、ネットワーク装置によって前記複数の同期信号の後に送信された信号を検出し、又はネットワーク装置から送信された、前記複数の同期信号に対応するブロードキャストチャネルを検出することである。
【００８１】
より具体的には、端末装置は異なるビームフォーミング重み値（本明細書でそれがビームフォーミング受信重み値と呼ばれる）を使用して同期信号周期内で繰り返して送信された同期信号を検出し、受信品質が最も良い同期信号に使用されるビームフォーミング受信重み値を、対応するブロードキャストチャネルを検出するためのビームフォーミング受信重み値とすることができる。ここで、受信品質は、基準信号受信電力（ＲＳＲＰ：Ｒｅｆｅｒｅｎｃｅ  Ｓｉｇｎａｌ  Ｒｅｃｅｉｖｉｎｇ  Ｐｏｗｅｒ）又は受信信号強度又は相関ピークなどの物理量によって測定されてもよい。
【００８２】
端末装置はビームフォーミング受信重み値を使用して同じ同期信号を検出することにより、これらの重み値のうちの最適なビームフォーミング受信重み値を確定できる。端末装置は最適なビームフォーミング受信重み値を使用し、後続に送信されるブロードキャストチャネル又は他の信号を受信することにより、より高い受信ビームフォーミングゲインを得て、それによって後続に送信されるブロードキャストチャネル又は他の信号の検出性能を向上させることができる。
【００８３】
さらに、端末装置はそれに確定された、信号又はブロードキャストチャネルを検出するためのビームフォーミング受信重み値に基づき、信号を送信するためのビームフォーミング送信重み値を取得することができる。
【００８４】
端末装置の信号を送信するためのラジオ周波数ユニットの数が端末装置の信号又はブロードキャストチャネルを検出するためのラジオ周波数ユニットの数に等しい場合、端末装置に確定された、信号又はブロードキャストチャネルを検出するためのビームフォーミング受信重み値を端末装置の信号を送信するためのビームフォーミング受信重み値として直接使用することができる。
【００８５】
端末装置の信号を送信するためのラジオ周波数ユニットの数が端末装置の信号又はブロードキャストチャネルを検出するためのラジオ周波数ユニットの数に等しくない場合、端末装置に確定された、信号又はブロードキャストチャネルを検出するためのビームフォーミング受信重み値に対応する角度と前記端末装置の信号を送信するためのラジオ周波数ユニットの数に基づいて、端末装置の信号を送信するためのビームフォーミング送信重み値を得ることができる。
【００８６】
本発明の実施例では、ネットワーク装置は一つの同期信号周期内で複数の同期信号を周期的に送信することができ、その後端末装置はこれらの同期信号を周期的に検出し、それによって、後続の信号又はブロードキャストチャネルを検出するためのビームフォーミング受信重み値、及び／又は、信号を送信するためのビームフォーミング送信重み値を確定し、それによってこれらのビームフォーミング重み値を更新することができる。
【００８７】
本発明の実施例におけるブロードキャストチャネルはＭＩＢを伝送するための物理ブロードキャストチャネルであってもよい。その中、ＭＩＢは伝送システムの帯域幅などのシステム情報を含むことができる。
【００８８】
本発明の実施例におけるブロードキャストチャネルの伝送パラメータは周波数領域リソース、例えばＰＲＢ、サブ搬送波、サブバンド又は複数の以上のリソースの集合のうちの少なくとも一つを含むことができ、周波数領域リソースを確定するための周波数ホッピングパターン、時間領域リソース、例えばサブフレーム、シンボル又は定義された他の伝送時間単位であってもよいし、以上のリソースの集合であっても良く、又は時間領域リソースを確定するための周波数ホッピングパターン、サブ搬送波間隔、データ伝送時間長例えば持続時間長などであってもよい。
【００８９】
本発明の実施例におけるブロードキャストチャネルの伝送パラメータは、ネットワーク装置と端末装置によって予め定められてもよく、又は端末装置によってブロードキャストチャネルに対応する同期信号に含まれる情報に基づいて確定されてもよく、例えば同期信号に含まれるネットワークＩＤに基づいてブロードキャストチャネルを確定する伝送パラメータであってもよい。
【００９０】
ブロードキャストチャネルの伝送パラメータがネットワーク装置と端末装置によって予め設定されたものである場合、端末装置は定められた伝送パラメータに基づいてブロードキャストチャネルを検出し、この複数の同期信号の伝送パラメータが同期信号に含まれる場合、端末装置は、伝送パラメータを含む同期信号を検出した後に、同期信号に含まれる伝送パラメータに基づいてブロードキャストチャネルを検出する。例えば端末装置は同期信号に含まれるネットワーク側ＩＤに基づいてブロードキャストチャネルの伝送パラメータを確定することができる。
【００９１】
本発明の実施例では、ネットワーク装置は一つのブロードキャストチャネルの伝送周期内で複数のブロードキャストチャネルを送信することができる。ブロードキャストチャネルの伝送周期は一般的に予め定められてもよい。
【００９２】
ネットワーク装置が一つのブロードキャストチャネルの伝送周期内で複数のブロードキャストチャネルを送信する場合、前記複数のブロードキャストチャネルは同じビット情報を搬送することができる。
【００９３】
ネットワーク装置によって複数回送信されたブロードキャストは異なる伝送パラメータを使用することができる。これに対応して、端末装置は異なる伝送パラメータに基づいてこの複数のブロードキャストチャネルを検出する。
【００９４】
本発明の実施例では、ネットワーク装置は異なるビームフォーミング重み値を使用してこの複数のブロードキャストチャネルを送信することができる。該ビームフォーミング重み値はアナログビームフォーミング重み値、又はデジタルビームフォーミング重み値、混合ビームフォーミング重み値であってもよい。例えば、上記の異なるビームフォーミング重み値は１グループの離散フーリエ変換（ＤＦＴ：Ｄｉｓｃｒｅｔｅ  Ｆｏｕｒｉｅｒ  Ｔｒａｎｓｆｏｒｍ）ベクトル又は１グループのアレイ応答ベクトルであってもよい。
【００９５】
この場合、端末装置はネットワーク装置から送信された複数のブロードキャストチャネルの測定結果に基づき、ネットワーク装置へ前記複数のブロードキャストチャネルのうちの一つのブロードキャストチャネルを示すためのブロードキャストチャネル指示情報を送信することができる。一般的に、該ブロードキャストチャネル指示情報は、端末装置によって検出されたブロードキャストチャネルのうちの受信品質が最も良いブロードキャストチャネルを示すことに用いられる。例えば、端末装置は、第一のビームフォーミング受信重み値を使用してこの複数のブロードキャストチャネルを検出する際に、ネットワーク装置が該ブロードキャストチャネルを送信するためのビームフォーミング重み値に基づき、後続に信号又はブロードキャストチャネルを送信するために必要なビームフォーミング重み値（後続の説明を容易にするために、該ビームフォーミング重み値値を第一のビームフォーミング送信重み値と呼ぶ）を確定することができるように、受信品質が最も良いブロードキャストチャネルをネットワーク装置に報告することができる。
【００９６】
本発明の実施例では、ブロードキャストチャネル指示情報は一つのブロードキャストチャネル伝送周期内の一つのブロードキャストチャネルのインデックスであってもよい。例えば、一つのブロードキャストチャネル伝送周期内に４つのブロードキャストチャネルがある場合、２ビット情報を使用してブロードキャストチャネル指示情報を報告することができる。
【００９７】
端末装置はアップリンク制御チャネル又はアップリンクランダムアクセスチャネルを介してブロードキャストチャネル指示情報をネットワーク側に報告することができる。
【００９８】
ネットワーク装置は端末装置から送信されたブロードキャストチャネル指示情報を受信した後、ブロードキャストチャネル指示情報に基づき、後続の信号又はブロードキャストチャネル送信のためのビームフォーミング重み値を確定することができる。
【００９９】
ネットワーク装置がブロードキャストチャネル指示情報に基づき、後続の信号送信のためのビームフォーミング重み値を確定する一つの可能な実施形態において、ネットワーク装置がこの前にブロードキャストチャネル指示情報に示されるブロードキャストチャネルを送信するために使用されるビームフォーミング重み値を後続の信号送信のためのビームフォーミング送信重み値とする。
【０１００】
ネットワーク装置は異なるビームフォーミング送信重み値を使用して同じブロードキャストチャネルを送信し、さらに端末装置にその中の最適なブロードキャストチャネルをフィードバックさせることにより、これらの送信重み値のうちの最適なビームフォーミング送信重み値を確定することができる。ネットワーク装置は最適なビームフォーミング送信重み値を使用して後続のブロードキャストチャネル又は他の信号を送信することにより、より高いフォーミングゲインを得て、それによって後続に送信されるブロードキャストチャネル又は他の信号の検出性能を向上させることができる。
【０１０１】
さらに、ネットワーク装置は確定された後続の信号送信のためのビームフォーミング重み値に基づき、後続の信号送信のためのビームフォーミング受信重み値を確定することができる。
【０１０２】
一つの可能な実施形態は、ネットワーク装置の信号を送信するためのラジオ周波数ユニットの数が、信号を受信するためのラジオ周波数ユニットの数に等しい場合、確定された後続の信号送信のためのビームフォーミング重み値を、後続の信号受信のためのビームフォーミング受信重み値として直接使用することである。
【０１０３】
一つの可能な実施形態は、ネットワーク装置の信号を送信するためのラジオ周波数ユニットの数が信号を受信するためのラジオ周波数ユニットの数に等しくない場合、確定された後続の信号送信のためのビームフォーミング重み値に対応する角度（又は位相）と信号受信のためのラジオ周波数ユニットの数に基づき、後続の信号受信のためのビームフォーミング受信重み値を得る。例えば、確定された後続の信号送信のためのビームフォーミング重み値がＤＦＴベクトルである場合、該ＤＦＴベクトルに対して次元（長さ）を拡張することにより、後続の信号受信のためのビームフォーミング受信重み値を得ることができる。
【０１０４】
本発明の実施例では、ネットワーク装置は各ブロードキャストチャネル伝送周期内で複数のブロードキャストチャネルを周期的に伝送することができる。ブロードキャストチャネル伝送周期は予め定められてもよい。
【０１０５】
ネットワーク装置が複数のブロードキャストチャネルを周期的に送信することにより、端末装置は、ネットワーク装置へブロードキャストチャネル指示情報を周期的に送信することができ、それによってネットワーク装置は周期的にブロードキャストチャネル指示情報に基づいてその信号送信及び／又は信号受信のためのビームフォーミング重み値を更新することができる。
【０１０６】
図４−図７に示す信号伝送図を参照してネットワーク装置と端末装置の間の信号を伝送する方法を例示的に説明する。
【０１０７】
図４に示すように、同期信号の周期がＴ１であり、ブロードキャスト伝送周期がＴ２であり、Ｔ１＝Ｔ２とする。ネットワーク装置（例えば基地局）は一つの同期周期内の同期信号（ＳＳ：Ｓｙｎｃｈｒｏｎｏｕｓ  Ｓｉｇｎａｌ）時間単位（例えばサブフレーム）内で、周波数分割多重化（ＦＤＭ：Ｆｒｅｑｕｅｎｃｙ  Ｄｉｖｉｓｉｏｎ  Ｍｕｌｔｉｐｌｅｘｉｎｇ）により４つの同期信号ＳＳ１、ＳＳ２、ＳＳ３とＳＳ４を送信し、即ちこの４つの同期信号が同じ時間領域リソースと異なる周波数領域リソースとを占有する。
【０１０８】
ここで、この４つの同期信号は同じアナログビームフォーミングベクトルとシーケンスを使用することができる。各同期信号はプライマリ同期信号とセカンダリ同期信号を含む。
【０１０９】
一定期間（例えば定められた時間間隔）の後、ネットワーク装置は同期信号ＳＳ１、ＳＳ２、ＳＳ３とＳＳ４に対応する物理ブロードキャストチャネル（ＰＢＣＨ：Ｐｈｙｓｉｃａｌ  Ｂｒｏａｄｃａｓｔ  Ｃｈａｎｎｅｌ）を送信する。ネットワーク装置はそれぞれ４つの時間単位内でブロードキャストチャネルを時分割多重（ＴＤＭ）で４回送信し、該ブロードキャストがそれぞれＰＢＣＨ１、ＰＢＣＨ２、ＰＢＣＨ３とＰＢＣＨ４であり、４回送信されたブロードキャストチャネルに含まれる情報が同じであってもよく、それらの位置する時間単位内で占有される時間周波数リソースも同じであるが、異なるアナログビームフォーミング重み値を使用する。
【０１１０】
受信側では、端末装置はまず同期信号を検出し、異なる周波数領域リソースで異なるビームフォーミング受信重み値を使用して４つの同期信号を受信し、且つ４つの同期信号の受信品質をそれぞれ測定する。例えば、端末装置に１６本の受信アンテナがあると仮定する場合、長さが１６である４つのＤＦＴベクトルを使用して同期信号を受信することができる。端末装置は受信品質が最も良い同期信号に対応するビームフォーミング受信重み値を、後続に対応するブロードキャストチャネル及び他のダウンリンク信号を受信するためのビームフォーミング受信重み値とする。
【０１１１】
次に、端末装置はそれぞれ同期信号に対応する４つのブロードキャストチャネルを検出し、且つ受信電力を測定してその中の受信品質が最も良いブロードキャストチャネルを確定し、且つ対応するブロードキャストチャネルインデックス（２ビットであり、それぞれ４つのブロードキャストチャネルに対応する）を物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を介してネットワーク装置に報告する。
【０１１２】
端末装置は各同期信号周期内で同様の方法を使用して同期信号を検出し、且つビームフォーミング受信重み値を更新することができる。
【０１１３】
図５に示すネットワーク装置と端末装置の間の信号を伝送する方法は、図４に示されるネットワーク装置と端末装置の間の信号を伝送する方法とは異なり、同期信号に対応するブロードキャストチャネルが異なる時間領域リソースではなく、異なる周波数領域リソースを占有する。この場合、端末装置は対応するブロードキャストチャネルを異なる周波数帯域で検出する必要がある。
【０１１４】
図６はネットワーク装置と端末装置の間の信号を伝送する方法の別の概略図である。その中、同期信号の周期がＴ１であり、対応するブロードキャストチャネルの周期がＴ２であり、且つＴ２≧２Ｔ１とする。
【０１１５】
ネットワーク装置は一つの同期周期内の同期信号（ＳＳ）時間単位（例えばサブフレーム）内でプライマリ同期信号を送信する。ここで、ネットワーク装置はＰＳＳ１、ＰＳＳ２、ＰＳＳ３及びＰＳＳ４という４つのプライマリ同期信号をＦＤＭにより送信し、即ちＰＳＳ１、ＰＳＳ２、ＰＳＳ３及びＰＳＳ４が同じ時間領域リソースと、異なる周波数領域リソースとを占有する。ＰＳＳ１、ＰＳＳ２、ＰＳＳ３及びＰＳＳ４は同じ混合ビームフォーミングベクトルとシーケンスを使用することができる。
【０１１６】
その後、ネットワーク装置は一定期間後に物理リソースでセカンダリ同期信号（ＳＳＳ）を送信し、セカンダリ同期信号に対して１回だけ送信する。
【０１１７】
次に、一定期間後、ネットワーク装置はＰＳＳ１、ＰＳＳ２、ＰＳＳ３及びＰＳＳ４に対応するブロードキャストチャネルを送信する。ネットワーク装置はそれぞれ４つの時間単位内でブロードキャストチャネルをＴＤＭで４回送信し、該ブロードキャストチャネルがそれぞれＰＢＣＨ１、ＰＢＣＨ２、ＰＢＣＨ３とＰＢＣＨ４である。ＰＢＣＨ１、ＰＢＣＨ２、ＰＢＣＨ３とＰＢＣＨ４に含まれる情報が同じであり、それらの位置する時間単位内で占有した時間周波数リソースも同じであるが、異なるアナログビームフォーミング重み値を使用する。
【０１１８】
受信側では、端末装置はまず同期信号を検出する。端末装置は異なる周波数領域リソースで異なるビームフォーミング受信重み値を使用して４つの同期信号を受信し、且つ４つの同期信号の受信品質をそれぞれ測定し、受信品質が最も良いプライマリ同期信号に対応するビームフォーミング受信重み値を、セカンダリ同期信号と同期信号に対応するブロードキャストチャネル、及び他のダウンリンク信号を後続に受信するためのビームフォーミング受信重み値とする。
【０１１９】
端末装置はセカンダリ同期信号を検出した後に、同期信号に対応する４つのブロードキャストチャネルをそれぞれ検出する。Ｔ２≧２Ｔ１であるため、端末装置は少なくとも２つの同期周期の同期信号を受信し、対応するブロードキャストチャネルを検出する必要がある。
【０１２０】
図７に示すネットワーク装置と端末装置の間の信号を伝送する方法は、図６に示すネットワーク装置と端末装置の間の信号を伝送する方法とは異なり、プライマリ同期信号が異なる周波数領域リソースではなく、異なる時間領域リソース（時間単位）を占有する。そのため、端末装置は対応するプライマリ同期信号を異なる時間単位で検出する必要がある。
【０１２１】
以下に図８−図１３を参照して本発明の実施例におけるネットワーク装置と端末装置の構造を概略的に説明する。
【０１２２】
図８は本発明の実施例におけるネットワーク装置８００の概略構造図である。図８のネットワーク装置８００は図２−図７のネットワーク装置によって実行される各ステップを実施することができ、重複を回避するために、ここでは説明を省略する。ネットワーク装置８００は第一の送信モジュール８１０と第二の送信モジュール８２０を備える。
【０１２３】
第一の送信モジュール８１０は、一つの同期信号周期内で複数の同期信号を送信するように構成される。
【０１２４】
第二の送信モジュール８２０は、前記複数の同期信号を送信した後に前記複数の同期信号に対応するブロードキャストチャネルを送信し、又は前記対応するブロードキャストチャネル以外の他の信号を送信するように構成される。
【０１２５】
本発明の実施例では、ネットワーク装置は一つの同期信号周期内で複数の同期信号を送信し、これにより端末装置は一つの同期信号周期内の複数の同期信号に基づき、ネットワーク装置によって後続に送信される信号又はブロードキャストチャネルを検出することができ、それによって端末装置が信号又はブロードキャストチャネルを検出する時間を短縮させ、さらに端末装置の信号検出性能を向上させることができる。
【０１２６】
選択可能に、一つの実施例として、前記複数の同期信号は同じシーケンスを使用する。
【０１２７】
選択可能に、一つの実施例として、前記第一の送信モジュールは具体的に一つの同期信号周期内で同じビームフォーミング送信重み値を使用して複数の同期信号を送信する。
【０１２８】
選択可能に、一つの実施例として、前記複数の同期信号の周波数領域リソース、時間領域リソース、サブ搬送波間隔又はデータ伝送時間長のうちの少なくとも一つの伝送パラメータが異なる。
【０１２９】
選択可能に、一つの実施例として、前記複数の同期信号の伝送パラメータは、前記ネットワーク装置と前記端末装置とによって予め定められた伝送パラメータであり、又は前記複数の同期信号の伝送パラメータは前記ネットワーク装置が前記複数の同期信号のうちの部分の同期信号に含まれる情報に基づいて確定した伝送パラメータである。
【０１３０】
選択可能に、一つの実施例として、前記対応するブロードキャストチャネルの周波数領域リソース、時間領域リソース、情報スクランブル方式、サブ搬送波間隔又はデータ伝送時間長のうちの少なくとも一つの伝送パラメータは、前記ネットワーク装置が前記複数の同期信号に含まれる情報に基づいて確定したものであり、前記第二の送信モジュールは具体的に前記複数の同期信号を送信した後に、前記確定された伝送パラメータに基づき、前記対応するブロードキャストチャネルを送信するように構成される。
【０１３１】
選択可能に、一つの実施例として、前記第二の送信モジュール８２０は具体的に前記複数の同期信号を送信した後に、前記複数の同期信号に対応する複数のブロードキャストチャネルを送信するように構成され、その中、前記複数のブロードキャストチャネルが同じ情報を搬送する。
【０１３２】
選択可能に、一つの実施例として、前記第二の送信モジュールは具体的に前記複数の同期信号を送信した後に、異なるビームフォーミング送信重み値を使用して前記複数の同期信号に対応する複数のブロードキャストチャネルを送信するように構成される。
【０１３３】
選択可能に、一つの実施例として、前記対応するブロードキャストチャネルは複数のブロードキャストチャネルであり、前記複数のブロードキャストチャネルのＨＡＲＱ冗長バージョン、周波数領域リソース、時間領域リソース、情報スクランブル方式、サブ搬送波間隔又はデータ伝送時間長のうちの少なくとも一つの伝送パラメータが異なる。
【０１３４】
選択可能に、一つの実施例として、前記対応するブロードキャストチャネルが複数のブロードキャストチャネルである場合、前記ネットワーク装置はさらに、前記端末装置から送信された、前記複数のブロードキャストチャネルのうちの第一のブロードキャストチャネルを示すためのブロードキャストチャネル指示情報を受信するように構成される受信モジュールを備える。
【０１３５】
選択可能に、一つの実施例として、前記ネットワーク装置はさらに、前記第一のブロードキャストチャネルを送信するためのビームフォーミング送信重み値に基づき、前記ネットワーク装置が後続にブロードキャストチャネルを送信するために使用する第一のビームフォーミング送信重み値を確定するように構成される第一の確定モジュールを備える。
【０１３６】
選択可能に、一つの実施例として、前記第一の確定モジュールは具体的に前記第一のブロードキャストチャネルを送信するためのビームフォーミング送信重み値を前記第一のビームフォーミング送信重み値として確定するように構成される。
【０１３７】
選択可能に、一つの実施例として、前記ネットワーク装置はさらに、前記ネットワーク装置が前記第一のブロードキャストチャネルを送信するために使用するビームフォーミング送信重み値に基づき、前記ネットワーク装置が後続に端末装置から送信された信号を受信するために使用する第一のビームフォーミング受信重み値を確定するように構成される第二の確定モジュールを備える。
【０１３８】
選択可能に、一つの実施例として、前記受信モジュールは具体的に前記端末装置が制御チャネル又はランダムアクセスチャネルを介して送信した前記ブロードキャストチャネル指示情報を受信するように構成される。
【０１３９】
選択可能に、一つの実施例として、前記複数のブロードキャストチャネルは同じＭＩＢ情報を搬送する。
【０１４０】
選択可能に、一つの実施例として、前記複数回送信された同期信号に使用される物理リソースと前記対応するブロードキャストチャネルに使用される物理リソースとは予め定義されたマッピング関係を有する。
【０１４１】
選択可能に、一つの実施例として、前記対応するブロードキャストチャネルはＭＩＢを伝送するための物理ブロードキャストチャネルである。
【０１４２】
図９は本発明の実施例における端末装置９００の概略構造図である。図９の端末装置９００は図２−図７の端末装置によって実行される各ステップを実現することができ、繰り返しを回避するために、ここでは説明を省略する。端末装置９００は第一の検出モジュール９１０と第二の検出モジュール９２０を備える。
【０１４３】
第一の検出モジュール９１０は、ネットワーク装置によって一つの同期信号周期内で送信された複数の同期信号を検出するように構成される。
【０１４４】
第二の検出モジュール９２０は、検出された前記複数の同期信号に基づき、前記ネットワーク装置から送信された、前記複数の同期信号に対応するブロードキャストチャネルを検出し、又は前記ネットワーク装置から送信された、前記対応するブロードキャストチャネル以外の他の信号を検出するように構成される。
【０１４５】
本発明の実施例では、端末装置がネットワーク装置によって一つの同期信号周期内で送信された複数の同期信号を検出するので、端末装置は一つの同期信号周期内の複数の同期信号に基づき、ネットワーク装置によって後続に送信される信号又はブロードキャストチャネルを検出することができ、それによって端末装置が後続の信号又はブロードキャストチャネルを検出する時間を短縮させ、さらに端末装置の信号検出性能を向上させることができる。
【０１４６】
選択可能に、一つの実施例として、前記複数の同期信号は同じシーケンスを使用する。
【０１４７】
選択可能に、一つの実施例として、前記複数の同期信号の周波数領域リソース、時間領域リソース、サブ搬送波間隔又はデータ伝送時間長のうちの少なくとも一つの伝送パラメータが異なる。
【０１４８】
選択可能に、一つの実施例として、前記第一の検出モジュールは具体的に前記ネットワーク装置と前記端末装置とによって予め定められた伝送パラメータ、又は前記複数の同期信号の部分の同期信号に含まれる情報に基づいて確定された伝送パラメータに基づき、前記複数の同期信号を検出するように構成される。
【０１４９】
選択可能に、一つの実施例として、前記第二の検出モジュールは具体的に検出された前記複数の同期信号に含まれる情報に基づき、前記対応するブロードキャストチャネルの周波数領域リソース、時間領域リソース、情報スクランブル方式、サブ搬送波間隔又はデータ伝送時間長のうちの少なくとも一つの伝送パラメータを確定し、前記確定された伝送パラメータに基づいて前記対応するブロードキャストチャネルを検出するように構成される。
【０１５０】
選択可能に、一つの実施例として、前記第一の検出モジュールは具体的に異なるビームフォーミング受信重み値を使用し、前記複数の同期信号を検出するように構成され、前記第二の検出モジュールは具体的に
前記複数の同期信号のうちの第一の同期信号を検出するためのビームフォーミング受信重み値に基づき、前記端末装置の第一のビームフォーミング受信重み値を確定し、前記第一のビームフォーミング受信重み値を使用して前記他の信号又は前記対応するブロードキャストチャネルを検出するように構成される。
【０１５１】
選択可能に、一つの実施例として、前記第一の同期信号は前記端末装置によって検出された前記複数の同期信号のうちの受信品質が最も良い同期信号である。
【０１５２】
選択可能に、一つの実施例として、前記端末装置はさらに、第一のビームフォーミング受信重み値に基づき、前記端末装置の前記ネットワーク装置へ信号を送信するための第一のビームフォーミング送信重み値を確定するように構成される確定モジュールを備える。
【０１５３】
選択可能に、一つの実施例として、前記対応するブロードキャストチャネルは同じ情報を搬送する複数のブロードキャストチャネルである。
【０１５４】
選択可能に、一つの実施例として、前記複数のブロードキャストチャネルのＨＡＲＱ冗長バージョン、周波数領域リソース、時間領域リソース、情報スクランブル方式、サブ搬送波間隔又はデータ伝送時間長のうちの少なくとも一つの伝送パラメータが異なる。
【０１５５】
選択可能に、一つの実施例として、前記端末装置によって検出された前記対応するブロードキャストチャネルが複数のブロードキャストチャネルである場合、前記端末装置はさらに、前記ネットワーク装置へ前記複数のブロードキャストチャネルのうちの第一のブロードキャストチャネルを示すためのブロードキャストチャネル指示情報を送信するように構成される送信モジュールを備える。
【０１５６】
選択可能に、一つの実施例として、前記送信モジュールは具体的に制御チャネル又はランダムアクセスチャネルを介して前記ネットワーク装置へ前記ブロードキャストチャネル指示情報を送信するように構成される。
【０１５７】
選択可能に、一つの実施例として、前記第一のブロードキャストチャネルは前記端末装置によって検出された前記複数のブロードキャストチャネルのうちの受信品質が最も良いブロードキャストチャネルである。
【０１５８】
選択可能に、一つの実施例として、前記複数の同期信号に使用される物理リソースと前記対応するブロードキャストチャネルに使用される物理リソースとは予め定義されたマッピング関係を有する。
【０１５９】
選択可能に、一つの実施例として、前記対応するブロードキャストチャネルは管理情報バイト（ＭＩＢ）を伝送するための物理ブロードキャストチャネルである。
【０１６０】
図１０は本発明の実施例によるネットワーク装置１０００の概略ブロック図である。理解すべきものとして、図１０のネットワーク装置１０００は図２−図７のネットワーク装置によって実行される各ステップを実行することができ、繰り返しを回避するために、ここでは説明を省略する。ネットワーク装置１０００はメモリ１０１０、プロセッサ１０２０、受信機１０３０と送信機１０４０を備える。
【０１６１】
メモリ１０１０はプログラムを記憶するように構成される。
【０１６２】
プロセッサ１０２０は前記メモリ１０１０でのプログラムを実行するように構成される。前記プログラムが実行される時に、前記プロセッサ１０２０は具体的に前記送信機１０４０を呼び出して一つの同期信号周期内で複数の同期信号を送信するように構成される。
【０１６３】
前記プロセッサ１０２０はさらに前記送信機１０４０を呼び出して前記複数の同期信号を送信した後に前記複数の同期信号に対応するブロードキャストチャネルを送信し、又は前記対応するブロードキャストチャネル以外の他の信号を送信するように構成される。
【０１６４】
本発明の実施例では、ネットワーク装置が一つの同期信号周期内で複数の同期信号を送信し、これにより端末装置は一つの同期信号周期内の複数の同期信号に基づき、ネットワーク装置によって後続に送信される信号又はブロードキャストチャネルを検出することができ、それによって端末装置が信号又はブロードキャストチャネルを検出する時間を短縮させ、さらに端末装置の信号検出性能を向上させることができる。
【０１６５】
一つの可能な実施形態では、前記複数の同期信号が同じシーケンスを使用する。
【０１６６】
選択可能に、一つの実施例として、前記送信機１０４は具体的に一つの同期信号周期内で同じビームフォーミング送信重み値を使用して複数の同期信号を送信するように構成される。
【０１６７】
選択可能に、一つの実施例として、前記複数の同期信号の周波数領域リソース、時間領域リソース、サブ搬送波間隔又はデータ伝送時間長のうちの少なくとも一つの伝送パラメータが異なる。
【０１６８】
選択可能に、一つの実施例として、複数の同期信号の伝送パラメータは、前記ネットワーク装置と前記端末装置とによって予め定められた伝送パラメータであり、又は前記複数の同期信号の伝送パラメータは前記ネットワーク装置が前記複数の同期信号のうちの部分の同期信号に含まれる情報に基づいて確定した伝送パラメータである。
【０１６９】
選択可能に、一つの実施例として、前記対応するブロードキャストチャネルの周波数領域リソース、時間領域リソース、情報スクランブル方式、サブ搬送波間隔又はデータ伝送時間長のうちの少なくとも一つの伝送パラメータは前記ネットワーク装置が前記複数の同期信号に含まれる情報に基づいて確定したものであり、前記送信機１０４０は具体的に前記複数の同期信号を送信した後に、前記確定された伝送パラメータに基づき、前記対応するブロードキャストチャネルを送信するように構成される。
【０１７０】
選択可能に、一つの実施例として、前記送信機１０４０は具体的に前記複数の同期信号を送信した後に、前記複数の同期信号に対応する複数のブロードキャストチャネルを送信するように構成され、その中、前記複数のブロードキャストチャネルが同じ情報を搬送する。
【０１７１】
選択可能に、一つの実施例として、前記送信機１０４０は具体的に前記複数の同期信号を送信した後に、異なるビームフォーミング送信重み値を使用して前記複数の同期信号に対応する複数のブロードキャストチャネルを送信するように構成される。
【０１７２】
選択可能に、一つの実施例として、前記対応するブロードキャストチャネルは複数のブロードキャストチャネルであり、前記複数のブロードキャストチャネルのＨＡＲＱ冗長バージョン、周波数領域リソース、時間領域リソース、情報スクランブル方式、サブ搬送波間隔又はデータ伝送時間長のうちの少なくとも一つの伝送パラメータが異なる。
【０１７３】
選択可能に、一つの実施例として、前記対応するブロードキャストチャネルが複数のブロードキャストチャネルである場合、前記プロセッサ１０２０はさらに前記受信機１０３０を呼び出して前記端末装置から送信された、前記複数のブロードキャストチャネルのうちの第一のブロードキャストチャネルを示すためのブロードキャストチャネル指示情報を受信するように構成される。
【０１７４】
選択可能に、一つの実施例として、前記プロセッサ１０２０はさらに前記第一のブロードキャストチャネルを送信するためのビームフォーミング送信重み値に基づき、前記ネットワーク装置が後続にブロードキャストチャネルを送信するために使用する第一のビームフォーミング送信重み値を確定するように構成される。
【０１７５】
選択可能に、一つの実施例として、前記プロセッサ１０２０は具体的に前記第一のブロードキャストチャネルを送信するためのビームフォーミング送信重み値を前記第一のビームフォーミング送信重み値として確定するように構成される。
【０１７６】
選択可能に、一つの実施例として、前記受信機１０３０は具体的に前記端末装置が制御チャネル又はランダムアクセスチャネルを介して送信した前記ブロードキャストチャネル指示情報を受信するように構成される。
【０１７７】
選択可能に、一つの実施例として、前記プロセッサ１０２０はさらに前記ネットワーク装置が前記第一のブロードキャストチャネルを送信するためのビームフォーミング送信重み値に基づき、前記ネットワーク装置が後続に端末装置から送信された信号を受信するために使用する第一のビームフォーミング受信重み値を確定するように構成される。
【０１７８】
選択可能に、一つの実施例として、前記複数回送信された同期信号に使用される物理リソースと前記対応するブロードキャストチャネルに使用される物理リソースとは予め定義されたマッピング関係を有する。
【０１７９】
選択可能に、一つの実施例として、前記対応するブロードキャストチャネルは管理情報バイト（ＭＩＢ）を伝送するための物理ブロードキャストチャネルである。
【０１８０】
図１１は本発明の実施例による端末装置１１００の概略ブロック図である。理解すべきものとして、図１１の端末装置１１００は図２−図７の端末装置によって実行される各ステップを実行することができ、繰り返しを回避するために、ここでは説明を省略する。端末装置１１００はメモリ１１１０、プロセッサ１１２０、受信機１１３０と送信機１１４０を備える。
【０１８１】
メモリ１１１０はプログラムを記憶するように構成される。
【０１８２】
プロセッサ１１２０は前記メモリ１１１０でのプログラムを実行するように構成され、前記プログラムが実行される時に、前記プロセッサ１１２０は前記送信機１１３０を呼び出し、ネットワーク装置によって一つの同期信号周期内で送信された複数の同期信号を検出し、及び検出された前記複数の同期信号に基づき、前記ネットワーク装置によって前記複数の同期信号の後に送信された、前記複数の同期信号に対応するブロードキャストチャネルを検出し、又は前記対応するブロードキャストチャネル以外の他の信号を検出する。
【０１８３】
本発明の実施例では、ネットワーク装置が一つの同期信号周期内で複数の同期信号を送信し、これにより端末装置は一つの同期信号周期内の複数の同期信号に基づき、ネットワーク装置によって後続に送信される信号又はブロードキャストチャネルを検出することができ、それによって端末装置が信号又はブロードキャストチャネルを検出する時間を短縮させ、さらに端末装置の信号検出性能を向上させることができる。
【０１８４】
一つの可能な実施形態では、前記複数の同期信号が同じシーケンスを使用する。
【０１８５】
選択可能に、一つの実施例として、前記複数の同期信号の周波数領域リソース、時間領域リソース、サブ搬送波間隔又はデータ伝送時間長のうちの少なくとも一つの伝送パラメータが異なる。
【０１８６】
選択可能に、一つの実施例として、前記プロセッサ１１２０は具体的に前記受信機１１３０を呼び出して前記ネットワーク装置と前記端末装置とによって予め定められた伝送パラメータ、又は前記複数の同期信号のうちの部分の同期信号に含まれる情報に基づいて確定された伝送パラメータに基づき、前記複数の同期信号を検出するように構成される。
【０１８７】
選択可能に、一つの実施例として、前記プロセッサ１１２０は具体的に前記受信機１１３０を呼び出して検出された前記複数の同期信号に含まれる情報に基づき、前記対応するブロードキャストチャネルの周波数領域リソース、時間領域リソース、情報スクランブル方式、サブ搬送波間隔又はデータ伝送時間長のうちの少なくとも一つの伝送パラメータを確定し、及び前記確定された伝送パラメータに基づいて前記対応するブロードキャストチャネルを検出するように構成される。
【０１８８】
選択可能に、一つの実施例として、前プロセッサ１１２０は具体的に前記受信機１１３０を呼び出して異なるビームフォーミング受信重み値に基づき、前記複数の同期信号を検出し、前記複数の同期信号のうちの第一の同期信号を検出するためのビームフォーミング受信重み値に基づき、前記端末装置の第一のビームフォーミング受信重み値を確定し、前記第一のビームフォーミング受信重み値を使用して前記複数の同期信号の後に送信された前記他の信号又は前記対応するブロードキャストチャネルを受信するように構成される。
【０１８９】
選択可能に、一つの実施例として、第一の同期信号は前記端末装置によって検出された前記複数の同期信号のうちの受信品質が最も良い同期信号である。
【０１９０】
選択可能に、一つの実施例として、前記プロセッサ１１２０はさらに前記第一のビームフォーミング受信重み値に基づき、前記端末装置の前記ネットワーク装置へ信号を送信するための第一のビームフォーミング送信重み値を確定するように構成される。
【０１９１】
選択可能に、一つの実施例として、前記対応するブロードキャストチャネルは同じ情報を搬送する複数のブロードキャストチャネルである。
【０１９２】
選択可能に、一つの実施例として、前記対応するブロードキャストチャネルは複数のブロードキャストチャネルであり、前記複数のブロードキャストチャネルのＨＡＲＱ冗長バージョン、周波数領域リソース、時間領域リソース、情報スクランブル方式、サブ搬送波間隔又はデータ伝送時間長のうちの少なくとも一つの伝送パラメータが異なる。
【０１９３】
選択可能に、一つの実施例として、前記端末装置によって検出された前記対応するブロードキャストチャネルが複数のブロードキャストチャネルである場合、前記プロセッサ１１２０はさらに前記送信機１１４０を呼び出して前記ネットワーク装置へ前記複数のブロードキャストチャネルのうちの第一のブロードキャストチャネルを示すためのブロードキャストチャネル指示情報を送信するように構成される。
【０１９４】
選択可能に、一つの実施例として、前記プロセッサ１１２０は具体的に前記送信機１１４０を呼び出して制御チャネル又はランダムアクセスチャネルを介して前記ネットワーク装置へ前記ブロードキャストチャネル指示情報を送信するように構成される。
【０１９５】
選択可能に、一つの実施例として、前記第一のブロードキャストチャネルは前記端末装置によって検出された前記複数のブロードキャストチャネルのうちの受信品質が最も良いブロードキャストチャネルである。
【０１９６】
選択可能に、一つの実施例として、前記複数の同期信号に使用される物理リソースと前記対応するブロードキャストチャネルに使用される物理リソースとは予め定義されたマッピング関係を有する。
【０１９７】
選択可能に、一つの実施例として、前記対応するブロードキャストチャネルはＭＩＢを伝送するための物理ブロードキャストチャネルである。
【０１９８】
図１２は本発明の実施例によるシステムチップの概略構造図である。図１２のシステムチップ１２００は入力インタフェース１２１０、出力インタフェース１２２０、少なくとも一つのプロセッサ１２３０、メモリ１２４０を備え、前記入力インタフェース１２１０、出力インタフェース１２２０、前記プロセッサ１２３０及びメモリ１２４０がバスを介して接続し、前記プロセッサ１２３０が前記メモリ１２４０でのコードを実行するように構成され、前記コードが実行される時に、前記プロセッサ１２３０が図２−図７のネットワーク装置によって実行される方法を実施する。
【０１９９】
図１３は本発明の実施例によるシステムチップの概略構造図である。図１３のシステムチップ１３００は入力インタフェース１３１０、出力インタフェース１３２０、少なくとも一つのプロセッサ１３３０、メモリ１３４０を備え、前記入力インタフェース１３１０、出力インタフェース１３２０、前記プロセッサ１３３０及びメモリ１３４０がバスを介して接続し、前記プロセッサ１３３０が前記メモリ１３４０でのコードを実行するように構成され、前記コードが実行される時に、前記プロセッサ１３３０が図２−図７の端末装置によって実行される方法を実施する。
【０２００】
理解すべきものとして、本発明の実施例におけるプロセッサは、信号処理能力を有する集積回路チップであってもよい。実施過程では、上記方法の実施例における各ステップはプロセッサにおけるハードウェアの集積論理回路又はソフトウェア形態の命令により完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本発明の実施例において開示される各方法、ステップ及び論理ブロック図を実現又は実行することができる。汎用プロセッサはマイクロプロセッサであってもよい又は該プロセッサはいずれかの従来のプロセッサなどであってもよい。本発明の実施例と組み合わせて開示された方法のステップはハードウェア復号プロセッサによって実行されて完了され、又は復号プロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完了する。
【０２０１】
本発明の実施例におけるメモリは揮発性記憶装置又は不揮発性記憶装置であってもよく、又は揮発性記憶装置及び不揮発性記憶装置両者を含むことができることが理解できる。その中、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載されたシステムと方法のメモリはこれらといずれかの他の適切なタイプのメモリを含むことを図るがこれらに限定されない。
【０２０２】
また、本明細書では用語「システム」と「ネットワーク」は本明細書において常に交換可能に使用される。本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０２０３】
理解すべきものとして、本発明の実施例では、「Ａに対応するＢ」はＢがＡと関連することを示し、Ａに基づいてＢを確定することができる。しかし、理解すべきものとして、Ａに基づいてＢを確定することはＡのみに基づいてＢを確定することを意味せず、Ａ及び／又は他の情報に基づいてＢを確定することができる。
【０２０４】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０２０５】
当業者は、便利且つ簡潔で説明するために、上述したシステム、装置とユニットの具体的な動作プロセスについて上記方法の実施例における対応するプロセスを参照でき、ここでは説明を省略することを明確に理解することができる。
【０２０６】
本出願が提供するいくつかの実施例では、開示されたシステム、装置及び方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニット又は部材は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０２０７】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０２０８】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０２０９】
前記機能はソフトウェア機能ユニットの形態で実現され且つ独立した製品として販売又は使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２１０】
以上は、本発明の具体的な実施形態だけであり、本発明の保護範囲はこれに制限されず、当業者が本発明に開示された技術範囲内で容易に想到し得る変化又は入れ替わりが全て本発明の保護範囲以内に含まれるべきである。したがって、本発明の保護範囲は特許請求の範囲によってに準拠するべきである。
【図１】
2019522910.tif 000003
【図２】
2019522910.tif 000004
【図３】
2019522910.tif 000005
【図４】
2019522910.tif 000006
【図５】
2019522910.tif 000007
【図６】
2019522910.tif 000008
【図７】
2019522910.tif 000009
【図８】
2019522910.tif 000010
【図９】
2019522910.tif 000011
【図１０】
2019522910.tif 000012
【図１１】
2019522910.tif 000013
【図１２】
2019522910.tif 000014
【図１３】
2019522910.tif 000015
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
信号を伝送する方法であって、
端末装置がネットワーク装置によって一つの同期信号周期内で送信された複数の同期信号を検出することと、
前記端末装置が検出された前記複数の同期信号に基づき、前記ネットワーク装置から送信された、前記複数の同期信号に対応するブロードキャストチャネルを検出し、又は前記ネットワーク装置から送信された、前記対応するブロードキャストチャネル以外の他の信号を検出することとを含む、前記方法。
【請求項２】
前記複数の同期信号の周波数領域リソース、時間領域リソース、サブ搬送波間隔又はデータ伝送時間長のうちの少なくとも一つの伝送パラメータが異なることを特徴とする
請求項１に記載の方法。
【請求項３】
前記端末装置がネットワーク装置によって一つの同期信号周期内で送信された複数の同期信号を検出することは、
前記端末装置が前記ネットワーク装置と前記端末装置とによって予め定められた伝送パラメータ、又は前記複数の同期信号の部分の同期信号に含まれる情報に基づいて確定された伝送パラメータに基づき、前記複数の同期信号を検出することを含むことを特徴とする
請求項１−２のいずれか一項に記載の方法。
【請求項４】
前記端末装置が検出された前記複数の同期信号に基づき、前記ネットワーク装置から送信された、前記複数の同期信号に対応するブロードキャストチャネルを検出することは、
前記端末装置が検出された前記複数の同期信号に含まれる情報に基づき、前記対応するブロードキャストチャネルの周波数領域リソース、時間領域リソース、情報スクランブル方式、サブ搬送波間隔又はデータ伝送時間長のうちの少なくとも一つの伝送パラメータを確定することと、
前記端末装置が前記確定された伝送パラメータに基づいて前記対応するブロードキャストチャネルを検出することとを含むことを特徴とする
請求項１−３のいずれか一項に記載の方法。
【請求項５】
前記端末装置がネットワーク装置によって一つの同期信号周期内で送信された複数の同期信号を検出することは、
前記端末装置が異なるビームフォーミング受信重み値を使用し、前記複数の同期信号を検出することを含み、
前記端末装置が検出された前記複数の同期信号に基づき、前記ネットワーク装置から送信された、前記複数の同期信号に対応するブロードキャストチャネルを検出し、又は前記ネットワーク装置から送信された、前記対応するブロードキャストチャネル以外の他の信号を検出することは、
前記端末装置が前記複数の同期信号のうちの第一の同期信号を検出するためのビームフォーミング受信重み値に基づき、前記端末装置の第一のビームフォーミング受信重み値を確定することと、
前記端末装置が前記第一のビームフォーミング受信重み値を使用して前記他の信号又は前記対応するブロードキャストチャネルを検出することとを含むことを特徴とする
請求項１−３のいずれか一項に記載の方法。
【請求項６】
前記方法はさらに、
前記端末装置が前記第一のビームフォーミング受信重み値に基づき、前記端末装置の前記ネットワーク装置へ信号を送信するための第一のビームフォーミング送信重み値を確定することを含むことを特徴とする
請求項５に記載の方法。
【請求項７】
前記対応するブロードキャストチャネルは同じ情報を搬送する複数のブロードキャストチャネルであることを特徴とする
請求項１−６のいずれか一項に記載の方法。
【請求項８】
前記複数のブロードキャストチャネルのハイブリッド自動再送リクエスト（ＨＡＲＱ）冗長バージョン、周波数領域リソース、時間領域リソース、情報スクランブル方式、サブ搬送波間隔又はデータ伝送時間長のうちの少なくとも一つの伝送パラメータが異なることを特徴とする
請求項７に記載の方法。
【請求項９】
前記方法はさらに、
前記端末装置が前記ネットワーク装置へ前記複数のブロードキャストチャネルのうちの第一のブロードキャストチャネルを示すためのブロードキャストチャネル指示情報を送信することを含むことを特徴とする
請求項７又は８に記載の方法。
【請求項１０】
前記端末装置が前記ネットワーク装置へブロードキャストチャネル指示情報を送信することは、
前記端末装置が制御チャネル又はランダムアクセスチャネルを介して前記ネットワーク装置へ前記ブロードキャストチャネル指示情報を送信することを含むことを特徴とする
請求項９に記載の方法。
【請求項１１】
前記第一のブロードキャストチャネルは、前記端末装置によって検出された前記複数のブロードキャストチャネルのうちの受信品質が最も良いブロードキャストチャネルであることを特徴とする
請求項９又は１０に記載の方法。
【請求項１２】
前記複数の同期信号に使用される物理リソースと前記対応するブロードキャストチャネルに使用される物理リソースとは予め定義されたマッピング関係を有することを特徴とする
請求項１−１１のいずれか一項に記載の方法。
【請求項１３】
前記対応するブロードキャストチャネルは管理情報バイト（ＭＩＢ）を伝送するための物理ブロードキャストチャネルであることを特徴とする
請求項１−１２のいずれか一項に記載の方法。
【請求項１４】
端末装置であって、
命令が記憶されるメモリと、プロセッサとを含み、
前記プロセッサが前記命令を実行する場合、請求項１−１３のいずれか一項に記載の方法を実施する、
前記端末装置。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
信号を伝送する方法であって、
端末装置がネットワーク装置によって一つの同期信号周期内で送信された複数の同期信号を検出することと、
前記端末装置が検出された前記複数の同期信号に基づき、前記ネットワーク装置から送信された、前記複数の同期信号に対応するブロードキャストチャネルを検出し、又は前記ネットワーク装置から送信された、前記対応するブロードキャストチャネル以外の他の信号を検出することとを含む、前記方法。
【請求項２】
前記複数の同期信号が同じシーケンスを使用することを特徴とする
請求項１に記載の方法。
【請求項３】
前記端末装置が検出された前記複数の同期信号に基づき、前記ネットワーク装置から送信された、前記複数の同期信号に対応するブロードキャストチャネルを検出することは、
前記端末装置が検出された前記複数の同期信号に含まれる情報に基づき、前記対応するブロードキャストチャネルの周波数領域リソース、時間領域リソース、情報スクランブル方式、サブ搬送波間隔又はデータ伝送時間長のうちの少なくとも一つの伝送パラメータを確定することと、
前記端末装置が前記確定された伝送パラメータに基づいて前記対応するブロードキャストチャネルを検出することとを含むことを特徴とする
請求項１又は２に記載の方法。
【請求項４】
前記対応するブロードキャストチャネルは同じ情報を搬送する複数のブロードキャストチャネルであることを特徴とする
請求項１−３のいずれか一項に記載の方法。
【請求項５】
前記方法はさらに、
前記端末装置が前記ネットワーク装置へ前記複数のブロードキャストチャネルのうちの第一のブロードキャストチャネルを示すためのブロードキャストチャネル指示情報を送信することを含むことを特徴とする
請求項４に記載の方法。
【請求項６】
前記端末装置が前記ネットワーク装置へブロードキャストチャネル指示情報を送信することは、
前記端末装置が制御チャネル又はランダムアクセスチャネルを介して前記ネットワーク装置へ前記ブロードキャストチャネル指示情報を送信することを含むことを特徴とする
請求項５に記載の方法。
【請求項７】
前記複数の同期信号に使用される物理リソースと前記対応するブロードキャストチャネルに使用される物理リソースとは予め定義されたマッピング関係を有することを特徴とする
請求項１−６のいずれか一項に記載の方法。
【請求項８】
前記対応するブロードキャストチャネルは管理情報バイト（ＭＩＢ）を伝送するための物理ブロードキャストチャネルであることを特徴とする
請求項１−７のいずれか一項に記載の方法。
【請求項９】
端末装置であって、
ネットワーク装置によって一つの同期信号周期内で送信された複数の同期信号を検出するように構成される第一の検出モジュールと、
検出された前記複数の同期信号に基づき、前記ネットワーク装置から送信された、前記複数の同期信号に対応するブロードキャストチャネルを検出し、又は前記ネットワーク装置から送信された前記対応するブロードキャストチャネル以外の他の信号を検出するように構成される第二の検出モジュールとを備える、前記端末装置。
【請求項１０】
前記複数の同期信号は同じシーケンスを使用することを特徴とする
請求項９に記載の端末装置。
【請求項１１】
前記第二の検出モジュールは具体的に、
検出された前記複数の同期信号に含まれる情報に基づき、前記対応するブロードキャストチャネルの周波数領域リソース、時間領域リソース、情報スクランブル方式、サブ搬送波間隔又はデータ伝送時間長のうちの少なくとも一つの伝送パラメータを確定し、
前記確定された伝送パラメータに基づいて前記対応するブロードキャストチャネルを検出するように構成されることを特徴とする
請求項９又は１０に記載の端末装置。
【請求項１２】
前記対応するブロードキャストチャネルは同じ情報を搬送する複数のブロードキャストチャネルであることを特徴とする
請求項９−１１のいずれか一項に記載の端末装置。
【請求項１３】
前記端末装置はさらに、前記ネットワーク装置へ前記複数のブロードキャストチャネルのうちの第一のブロードキャストチャネルを示すためのブロードキャストチャネル指示情報を送信するように構成される送信モジュールを備えることを特徴とする
請求項１２に記載の端末装置。
【請求項１４】
前記送信モジュールは具体的に制御チャネル又はランダムアクセスチャネルを介して前記ネットワーク装置へ前記ブロードキャストチャネル指示情報を送信するように構成されることを特徴とする
請求項１３に記載の端末装置。
【請求項１５】
前記複数の同期信号に使用される物理リソースと前記対応するブロードキャストチャネルに使用される物理リソースとは予め定義されたマッピング関係を有することを特徴とする
請求項９−１４のいずれか一項に記載の端末装置。
【請求項１６】
前記対応するブロードキャストチャネルは管理情報バイト（ＭＩＢ）を伝送するための物理ブロードキャストチャネルであることを特徴とする
請求項９−１５のいずれか一項に記載の端末装置。
【国際調査報告】
2019522910.tif 000016
2019522910.tif 000017
2019522910.tif 000018
2019522910.tif 000019